(57)【要約】      （修正有）【課題】競合ベース共有無認可スペクトルを含むロングタームエボリューション（ＬＴＥ）およびＬＴＥアドバンスト（ＬＴＥ−Ａ）ネットワークにおけるチャネル状態情報（ＣＳＩ）フィードバックの方法を提供する。【解決手段】ユーザ機器（ＵＥ）は、競合ベース無線周波数スペクトルを利用する少なくとも１つのキャリアを識別する。ＵＥは、キャリアについてのクリアチャネルアセスメント（ＣＣＡ）結果情報を示す送信信号を検出し、検出された送信信号に基づいてチャネル状態情報測定のための基準信号がサブフレーム中に存在するかどうかを決定する。ＵＥは、基準信号のこの存在決定に基づいて測定報告を送信する。【選択図】図８
2019198097.tif 000002
【特許請求の範囲】
【請求項１】
ユーザ機器(ＵＥ)によって、競合ベース無線周波数スペクトルを利用する少なくとも１つのキャリアを識別することと、
前記少なくとも１つのキャリアについてのクリアチャネルアセスメント（ＣＣＡ）結果情報を示す送信信号を検出することと、
前記検出された送信信号に基づいて、チャネル状態情報測定のための基準信号がサブフレーム中に存在するかどうかを決定することと、
前記ＵＥによって、測定報告を送信することと、ここにおいて、前記測定報告は、前記基準信号が存在すると前記決定することに少なくとも部分的に基づく、
を備える、ワイヤレス通信の方法。
【請求項２】
ＣＣＡ結果情報を示す前記送信信号は、前記決定することが実施される前記サブフレームを含む、複数のサブフレームから備える送信フレームについて検出される、請求項１に記載の方法。
【請求項３】
ＣＣＡ結果情報を示す前記送信信号は、チャネル使用ビーコン信号（ＣＵＢＳ）とチャネル状態情報基準信号（ＣＳＩ−ＲＳ）とのうちの１つまたは複数を含む、請求項１に記載の方法。
【請求項４】
前記ＵＥによって、複数の送信フレームにわたって前記基準信号の存在を決定することと、
前記基準信号が存在すると決定される、前記複数の送信フレームのうちの送信フレームの第１のセットについて、前記基準信号が不在であると決定されるフレームの第２のセットについてとは別個に、前記測定報告の一部として、干渉状態を処理することと、
をさらに含む、請求項１に記載の方法。
【請求項５】
送信フレーム中の第１のサブフレームについて第１の干渉測定を実施することと、
前記送信フレーム中の第２のサブフレームについて第２の干渉測定を実施することと、  前記第１の干渉測定に基づく第１の測定と、前記第２の干渉測定に基づく第２の測定とを備える測定報告を送信することと、
をさらに含む、請求項１に記載の方法。
【請求項６】
前記第１のサブフレームは通常であり、前記第２のサブフレームは特別サブフレームであり、ここにおいて、前記第１の測定は前記測定報告において前記第２の測定と平均化されない、請求項５に記載の方法。
【請求項７】
前記第１のサブフレームは第１の基準信号構成で構成され、前記第２のサブフレームは、前記第１の基準信号構成とは異なる第２の基準信号構成で構成された、請求項５に記載の方法。
【請求項８】
前記サブフレーム中の実質的にすべてのシンボル中に存在するリソース要素のセットに基づいて干渉測定を実施することをさらに含む、請求項１に記載の方法。
【請求項９】
前記基準信号は、
前記サブフレームの各周波数にわたるホッピングパターン、または
前記サブフレームの１つまたは複数の所定の周波数
のうちの１つに配置される、請求項８に記載の方法。
【請求項１０】
前記少なくとも１つのキャリアについて所定の持続時間にわたって前記ＣＣＡ結果情報を示す報告を送信すること、
をさらに含む、請求項１に記載の方法。
【請求項１１】
競合ベース無線周波数スペクトルを利用する前記キャリアは無認可スペクトル中にある、請求項１に記載の方法。
【請求項１２】
前記ＵＥによって、前記少なくとも１つのキャリアのために構成された２つ以上のチャネル状態フィードバックプロセスがあると決定することをさらに含み、チャネル測定のための前記基準信号を前記決定することは、前記２つ以上のチャネル状態フィードバックプロセスの各々について別々に実施される、
請求項１に記載の方法。
【請求項１３】
前記ＵＥは、前記基準信号が存在しないと決定し、前記方法は、
前記ＵＥによって前記測定報告を省略すること、または
前記測定報告を送信することと、ここにおいて、前記測定報告が、前の測定報告に少なくとも部分的に基づく、
のうちの１つをさらに含む、請求項１に記載の方法。
【請求項１４】
前記ＵＥによって、存在信号を受信することをさらに含み、前記存在信号は、前記基準信号が前記サブフレーム中に存在するかどうかを示す、
請求項１に記載の方法。
【請求項１５】
前記ＵＥによって、前記サブフレームが空のサブフレームであると決定することと、  前記基準信号が存在すると前記決定することに応答して、前記ＵＥによって、前記サブフレーム全体にわたって干渉測定を実施することと、
をさらに含む、請求項１に記載の方法。
【請求項１６】
送信フレーム中の第１のサブフレームについて第１の干渉測定を実施することと、
前記送信フレーム中の第２のサブフレームについて第２の干渉測定を実施することと、  前記第１の干渉測定に関連する第１の測定報告を送信することと、
前記第２の干渉測定に関連する第２の測定報告を送信することと、ここにおいて、前記第２の測定報告は前記第２の干渉測定と前記第１の干渉測定との間の差分を提供する、  をさらに含む、請求項１に記載の方法。
【請求項１７】
前記ＵＥによって前記測定報告を生成することをさらに含み、前記測定報告は、
前記サブフレームの持続時間にわたって前記ＵＥによって観測される平均化された干渉、または
前記サブフレームの１つまたは複数のシンボルに関連するシンボル依存干渉
のうちの１つに基づく干渉のフィードバックを含む、請求項１に記載の方法。
【請求項１８】
干渉の前記フィードバックはシンボル依存干渉に基づき、前記生成することは、
前記サブフレームの第１のスロットの各シンボルにわたって前記ＵＥによって観測される第１のシンボル干渉を平均化することと、
前記サブフレームの第２のスロットの各シンボルにわたって前記ＵＥによって観測される第２のシンボル干渉を平均化することと、ここにおいて、前記第１のシンボル干渉と前記第２のシンボル干渉とのうちの１つまたは複数は前記測定報告中に含まれる、
をさらに含む、請求項１７に記載の方法。
【請求項１９】
前記サブフレームがアップリンクサブフレームであると決定することと、
前記前記サブフレームが前記アップリンクサブフレームであると決定することに応答して、前記検出することと、前記決定することと、前記送信することとを省略することと、  をさらに含む、請求項１に記載の方法。
【請求項２０】
前記ＣＣＡがクリアされないとき、前記ＵＥによって前記サブフレームにおける干渉を測定することと、
前記測定報告を送信することと、ここにおいて、前記測定報告は、前記サブフレームにおいて前記測定された干渉に少なくとも部分的に基づく、
をさらに含む、請求項１に記載の方法。
【請求項２１】
前記基準信号は、非ゼロ電力チャネル状態情報基準信号（ＣＳＩ−ＲＳ）またはゼロ電力ＣＳＩ−ＲＳのうちの少なくとも１つである、請求項１に記載の方法。
【請求項２２】
前記非ゼロＣＳＩ−ＲＳは前記ＣＳＩフィードバックのチャネル測定についてであり、前記ゼロＣＳＩ−ＲＳは前記ＣＳＩフィードバックの干渉測定についてである、請求項２１に記載の方法。
【請求項２３】
対応するＣＣＡはクリアされる場合、非ゼロ電力基準信号はサブフレーム中に存在すると決定される、請求項１に記載の方法。
【請求項２４】
対応するＣＣＡがクリアされるか否かにかかわらず、ゼロ電力基準信号はサブフレーム中に存在すると決定される、請求項１に記載の方法。
【請求項２５】
ユーザ機器(ＵＥ)によって、競合ベース無線周波数スペクトルを利用する少なくとも１つのキャリアを識別するための手段と、
前記少なくとも１つのキャリアについてのクリアチャネルアセスメント（ＣＣＡ）結果情報を示す送信信号を検出するための手段と、
前記検出された送信信号に基づいてチャネル状態情報測定のための基準信号がサブフレーム中に存在するかどうかを決定するための手段と、
前記ＵＥによって、測定報告を送信するための手段と、ここにおいて、前記測定報告は、前記基準信号が存在すると前記決定することに少なくとも部分的に基づく、
を備える、ワイヤレス通信のために構成された装置。
【請求項２６】
プログラムコードを記録した非一時的コンピュータ可読媒体であって、前記プログラムコードは、
ユーザ機器(ＵＥ)によって、競合ベース無線周波数スペクトルを利用する少なくとも１つのキャリアを識別することをコンピュータに行わせるためのプログラムコードと、
前記少なくとも１つのキャリアについてのクリアチャネルアセスメント（ＣＣＡ）結果情報を示す送信信号を検出することを前記コンピュータに行わせるためのプログラムコードと、
前記検出された送信信号に基づいて、チャネル状態情報測定のための基準信号がサブフレーム中に存在するかどうかを決定することを前記コンピュータに行わせるためのプログラムコードと、
前記ＵＥによって、測定報告を送信することを前記コンピュータに行わせるためのプログラムコードと、ここにおいて、前記測定報告は、前記基準信号が存在すると前記決定することに少なくとも部分的に基づく、
を含む、非一時的コンピュータ可読媒体。
【請求項２７】
ワイヤレス通信のために構成された装置であって、前記装置は、
少なくとも１つのプロセッサと、
前記少なくとも１つのプロセッサに結合されたメモリと、
を備え、前記少なくとも１つのプロセッサは、
ユーザ機器(ＵＥ)によって、競合ベース無線周波数スペクトルを利用する少なくとも１つのキャリアを識別することと、
前記少なくとも１つのキャリアについてのクリアチャネルアセスメント（ＣＣＡ）結果情報を示す送信信号を検出することと、
前記検出された送信信号に基づいて、チャネル状態情報測定のための基準信号がサブフレーム中に存在するかどうかを決定することと、
前記ＵＥによって、測定報告を送信することと、ここにおいて、前記測定報告は、前記基準信号が存在すると前記決定することに少なくとも部分的に基づく、
を行うように構成された、装置。
【請求項２８】
ＣＣＡ結果情報を示す前記送信信号は、前記決定することが実施される前記サブフレームを含む、複数のサブフレームから備える送信フレームについて検出される、請求項２７に記載の装置。
【請求項２９】
前記ＵＥによって、複数の送信フレームにわたって前記基準信号の存在を決定することと、
前記基準信号がその中に存在すると決定される、前記複数の送信フレームのうちの送信フレームの第１のセットについて、前記基準信号が不在であると決定されるフレームの第２のセットについてとは別個に、前記測定報告の一部として、干渉状態を処理することと、
を行うための、前記少なくとも１つのプロセッサの構成をさらに含む、請求項２７に記載の装置。
【請求項３０】
送信フレーム中の第１のサブフレームについて第１の干渉測定を実施することと、
前記送信フレーム中の第２のサブフレームについて第２の干渉測定を実施することと、  前記第１の干渉測定に基づく第１の測定と、前記第２の干渉測定に基づく第２の測定とを備える測定報告を送信することと、
を行うための、前記少なくとも１つのプロセッサの構成をさらに含む、請求項２７に記載の装置。
【発明の詳細な説明】
【優先権の主張】
【０００１】
関連出願の相互参照
本出願は、それらの全体が参照により本明細書に明確に組み込まれる、２０１３年１２月１３日に出願された「ＣＳＩ  ＦＥＥＤＢＡＣＫ  ＩＮ  ＬＴＥ／ＬＴＥ−ＡＤＶＡＮＣＥＤ  ＳＹＳＴＥＭＳ  ＷＩＴＨ  ＵＮＬＩＣＥＮＳＥＤ  ＳＰＥＣＴＲＵＭ」と題する米国仮特許出願第６１／９１６，００１号、および２０１４年１２月９日に出願された「ＣＳＩ  ＦＥＥＤＢＡＣＫ  ＩＮ  ＬＴＥ／ＬＴＥ−ＡＤＶＡＮＣＥＤ  ＳＹＳＴＥＭＳ  ＷＩＴＨ  ＵＮＬＩＣＥＮＳＥＤ  ＳＰＥＣＴＲＵＭ」と題する米国実用特許出願第１４／５６５，０８５号の利益を主張する。
【技術分野】
【０００２】
本開示の態様は、一般にワイヤレス通信システムに関し、より詳細には、無認可スペクトルを含むロングタームエボリューション（ＬＴＥ）およびＬＴＥアドバンスト（ＬＴＥ−Ａ）通信システムのためのチャネル状態情報（ＣＳＩ：channel state information）フィードバックプロセスに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。通常、多元接続ネットワークである、そのようなネットワークは、利用可能なネットワークリソースを共有することによって複数のユーザのための通信をサポートする。そのようなネットワークの一例は、ユニバーサル地上波無線アクセスネットワーク（ＵＴＲＡＮ）である。ＵＴＲＡＮは、第３世代パートナーシッププロジェクト（３ＧＰＰ（登録商標））によってサポートされる第３世代（３Ｇ）モバイルフォン技術である、ユニバーサルモバイルテレコミュニケーションシステム（ＵＭＴＳ）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、ならびに／またはＵＥからアップリンク上でデータおよび制御情報を受信し得る。ダウンリンク上では、基地局からの送信は、隣接基地局からの送信、または他のワイヤレス無線周波数（ＲＦ）送信機からの送信による干渉に遭遇することがある。アップリンク上では、ＵＥからの送信は、隣接基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信でのユーザエクスペリエンスを進化および向上させるためにもＵＭＴＳ技術を進化させる研究および開発が続けられている。
【発明の概要】
【０００７】
[0007]本開示の一態様では、ワイヤレス通信の方法は、ＵＥによって、競合ベース無線周波数スペクトルを利用する少なくとも１つのキャリアを識別することと、少なくとも１つのキャリアについてのクリアチャネルアセスメント（ＣＣＡ：clear channel assessment）結果情報を示す送信信号を検出することと、検出された送信信号に基づいてチャネル状態情報測定のための基準信号がサブフレーム中に存在するかどうかを決定することと、ＵＥによって、測定報告を送信することと、ここにおいて、測定報告は、基準信号が存在すると決定することに少なくとも部分的に基づく、を含む。
【０００８】
[0008]本開示の追加の態様では、ワイヤレス通信のために構成された装置は、ＵＥによって、競合ベース無線周波数スペクトルを利用する少なくとも１つのキャリアを識別するための手段と、少なくとも１つのキャリアについてのＣＣＡ結果情報を示す送信信号を検出するための手段と、検出された送信信号に基づいてチャネル状態情報測定のための基準信号がサブフレーム中に存在するかどうかを決定するための手段と、ＵＥによって測定報告を送信するための手段と、ここにおいて、測定報告は、基準信号が存在すると決定することに少なくとも部分的に基づく、を含む。
【０００９】
[0009]本開示の追加の態様では、プログラムコードを記録したコンピュータ可読媒体。このプログラムコードは、ＵＥによって、競合ベース無線周波数スペクトルを利用する少なくとも１つのキャリアを識別するためのコードと、少なくとも１つのキャリアについてのＣＣＡ結果情報を示す送信信号を検出するためのコードと、検出された送信信号に基づいてチャネル状態情報測定のための基準信号がサブフレーム中に存在するかどうかを決定するためのコードと、ＵＥによって測定報告を送信するためのコードと、ここにおいて、測定報告は、基準信号が存在すると決定することに少なくとも部分的に基づく、を含む。
【００１０】
[0010]本開示の追加の態様では、装置は、少なくとも１つのプロセッサと、プロセッサに結合されたメモリとを含む。プロセッサは、ＵＥによって、競合ベース無線周波数スペクトルを利用する少なくとも１つのキャリアを識別することと、少なくとも１つのキャリアについてのＣＣＡ結果情報を示す送信信号を検出することと、検出された送信信号に基づいてチャネル状態情報測定のための基準信号がサブフレーム中に存在するかどうかを決定することと、ＵＥによって測定報告を送信することと、ここにおいて、測定報告は、基準信号が存在すると決定することに少なくとも部分的に基づく、を行うように構成される。
【００１１】
[0011]本開示の追加の態様では、ワイヤレス通信の方法は、基地局によって、複数の近隣基地局についてのＣＣＡ結果情報を取得することと、基地局によって、基地局によってサービスされる１つまたは複数のＵＥについての制御シグナリングを生成すること、ここにおいて、制御シグナリングはＣＣＡ結果情報に少なくとも部分的に基づく、と、１つまたは複数のＵＥに制御シグナリングを送信することとを含む。
【００１２】
[0012]本開示の追加の態様では、ＵＥによって、複数の近隣基地局についてのＣＣＡ結果情報を示す送信信号を検出することと、ＵＥによって、ＣＣＡ結果情報を示す送信信号に基づいて複数の近隣基地局についてのＣＣＡ結果情報推定値を決定することと、ＵＥによって、サービング基地局に測定報告を送信すること、ここにおいて、測定報告はＣＣＡ結果情報推定値を含み、と、を含むワイヤレス通信の方法。
【００１３】
[0013]本開示の追加の態様では、ワイヤレス通信のために構成された装置は、基地局によって、複数の近隣基地局についてのＣＣＡ結果情報を取得するための手段と、基地局によって、基地局によってサービスされる１つまたは複数のＵＥについての制御シグナリングを生成するための手段、ここにおいて、制御シグナリングはＣＣＡ結果情報に少なくとも部分的に基づき、と、１つまたは複数のＵＥに制御シグナリングを送信するための手段とを含む。
【００１４】
[0014]本開示の追加の態様では、ＵＥによって、複数の近隣基地局についてのＣＣＡ結果情報を示す送信信号を検出するための手段と、ＵＥによって、ＣＣＡ結果情報を示す送信信号に基づいて複数の近隣基地局についてのＣＣＡ結果情報推定値を決定するための手段と、ＵＥによって、サービング基地局に測定報告を送信するための手段、ここにおいて、測定報告はＣＣＡ結果情報推定値を含む、とを含むワイヤレス通信のために構成された装置。
【００１５】
[0015]本開示の追加の態様では、プログラムコードを記録したコンピュータ可読媒体。このプログラムコードは、基地局によって、複数の近隣基地局についてのＣＣＡ結果情報を取得するためのコードと、基地局によって、基地局によってサービスされる１つまたは複数のＵＥについての制御シグナリングを生成するためのコード、ここにおいて、制御シグナリングはＣＣＡ結果情報に少なくとも部分的に基づく、と、１つまたは複数のＵＥに制御シグナリングを送信するためのコードとを含む。
【００１６】
[0016]本開示の追加の態様では、プログラムコードを記録したコンピュータ可読媒体。このプログラムコードは、ＵＥによって、複数の近隣基地局についてのＣＣＡ結果情報を示す送信信号を検出するためのコードと、ＵＥによって、ＣＣＡ結果情報を示す送信信号に基づいて複数の近隣基地局についてのＣＣＡ結果情報推定値を決定するためのコードと、ＵＥによって、サービング基地局に測定報告を送信するためのコードと、ここにおいて、測定報告はＣＣＡ結果情報推定値を含む、を含む。
【００１７】
[0017]本開示の追加の態様では、装置は、少なくとも１つのプロセッサと、プロセッサに結合されたメモリとを含む。プロセッサは、基地局によって、複数の近隣基地局についてのＣＣＡ結果情報を取得することと、基地局によって、基地局によってサービスされる１つまたは複数のＵＥについての制御シグナリングを生成すること、ここにおいて、制御シグナリングがＣＣＡ結果情報に少なくとも部分的に基づく、と、１つまたは複数のＵＥに制御シグナリングを送信することとを行うように構成される。
【００１８】
[0018]本開示の追加の態様では、装置は、少なくとも１つのプロセッサと、プロセッサに結合されたメモリとを含む。プロセッサは、ＵＥによって、複数の近隣基地局についてのＣＣＡ結果情報を示す送信信号を検出することと、ＵＥによって、ＣＣＡ結果情報を示す送信信号に基づいて複数の近隣基地局についてのＣＣＡ結果情報推定値を決定することと、ＵＥによって、サービング基地局に測定報告を送信すること、ここにおいて、測定報告がＣＣＡ結果情報推定値を含む、とを行うように構成される。
【図面の簡単な説明】
【００１９】
【図１】様々な実施形態による、ワイヤレス通信システムの一例を示す図。
【図２Ａ】様々な実施形態による、無認可スペクトルにおいてＬＴＥを使用するための展開シナリオの例を示す図。
【図２Ｂ】様々な実施形態による、無認可スペクトルにおいてＬＴＥを使用するための展開シナリオの別の例を示す図。
【図３】様々な実施形態による、認可スペクトルおよび無認可スペクトル中で同時にＬＴＥを使用するときのキャリアアグリゲーションの一例を示す図。
【図４】本開示の一態様に従って構成された基地局／ｅＮＢおよびＵＥの設計を示すブロック図。
【図５Ａ】本開示の態様を実装するために実行される例示的なブロックを示す機能ブロック図。
【図５Ｂ】本開示の態様を実装するために実行される例示的なブロックを示す機能ブロック図。
【図６Ａ】本開示の態様を示すネットワークシナリオを示すブロック図。
【図６Ｂ】本開示の態様を示すネットワークシナリオを示すブロック図。
【図６Ｃ】本開示の態様を示すネットワークシナリオを示すブロック図。
【図７Ａ】共有無認可スペクトルを用いたＬＴＥ／ＬＴＥ−Ａシステムのための例示的なフレーム構造を示すブロック図。
【図７Ｂ】共有無認可スペクトルを用いたＬＴＥ／ＬＴＥ−Ａシステムのための例示的なフレーム構造を示すブロック図。
【図８】本開示の一態様を実装するために実行される例示的なブロックを示すブロック図。
【図９】本開示の一態様に従って構成されたＵＥを示すブロック図。
【図１０】本開示の一態様による競合ベース共有無認可スペクトルを有するワイヤレス通信システムにおける通信ストリームを示すブロック図。
【図１１】図１１Ａおよび１１Ｂは、本開示の態様に従って構成されたサブフレームを示すブロック図。
【発明を実施するための形態】
【００２０】
[0031]添付の図面に関して以下に記載する詳細な説明は、様々な構成を説明するものであり、本開示の範囲を限定するものではない。むしろ、この詳細な説明は、本発明の主題の完全な理解を与えるための具体的な詳細を含む。これらの具体的な詳細は、あらゆる場合において必要とされるとは限らないこと、および場合によっては、よく知られている構造および構成要素は、提示の明快さのためにブロック図の形式で示されることが、当業者には明らかであろう。
【００２１】
[0032]事業者（オペレータoperators）は、セルラーネットワークにおいて常に増大する混雑のレベルを緩和するために無認可スペクトルを使用するための主なメカニズムとして、これまでＷｉＦｉ（登録商標）に注目してきた。しかしながら、無認可スペクトルを含むＬＴＥ／ＬＴＥ−Ａに基づくニューキャリアタイプ（ＮＣＴ）は、キャリア階層のＷｉＦｉと互換性があり得、それにより、無認可スペクトルを用いたＬＴＥ／ＬＴＥ−ＡはＷｉＦｉの代替になる。無認可スペクトルを用いたＬＴＥ／ＬＴＥ−Ａは、ＬＴＥの概念を活用し得、無認可スペクトルにおいて効率的な運用をもたらし規制上の要件を満たすために、ネットワークまたはネットワークデバイスの物理レイヤ（ＰＨＹ）およびメディアアクセス制御（ＭＡＣ）の態様にいくつかの修正を加え得る。無認可スペクトルは、たとえば、６００メガヘルツ（ＭＨｚ）から６ギガヘルツ（ＧＨｚ）までわたり得る。いくつかのシナリオでは、無認可スペクトルを用いたＬＴＥ／ＬＴＥ−Ａは、ＷｉＦｉよりも著しく良好に働き得る。たとえば、すべてのＷｉＦｉ展開と比較して、（単一または複数の事業者のための）無認可スペクトルを用いたすべてのＬＴＥ／ＬＴＥ−Ａ展開、または高密度な小さいセルの展開が存在する場合、無認可スペクトルを用いたＬＴＥ／ＬＴＥ−ＡはＷｉＦｉよりも著しく良好に働き得る。無認可スペクトルを用いたＬＴＥ／ＬＴＥ−Ａは、無認可スペクトルを用いたＬＴＥ／ＬＴＥ−Ａが（単一または複数の事業者のために）ＷｉＦｉと混合されるときなど、他のシナリオにおいてＷｉＦｉよりも良好に働き得る。
【００２２】
[0033]単一のサービスプロバイダ（ＳＰ）にとって、無認可スペクトルを用いたＬＴＥ／ＬＴＥ−Ａネットワークは、認可スペクトル上でＬＴＥネットワークと同期しているように構成され得る。しかしながら、複数のＳＰによって所与のチャネル上で展開される無認可スペクトルを用いたＬＴＥ／ＬＴＥ−Ａネットワークは、複数のＳＰにわたって同期しているように構成され得る。上記の特徴の両方を組み込むための１つの手法は、所与のＳＰのために、無認可スペクトルを用いないＬＴＥ／ＬＴＥ−Ａネットワークと、無認可スペクトルを用いたＬＴＥ／ＬＴＥ−Ａネットワークとの間で、一定のタイミングオフセットを使用することを伴い得る。無認可スペクトルを用いたＬＴＥ／ＬＴＥ−Ａネットワークは、ＳＰの必要性に従ってユニキャストおよび／またはマルチキャストサービスを提供し得る。その上、無認可スペクトルを用いたＬＴＥ／ＬＴＥ−Ａネットワークは、ＬＴＥセルが、無認可スペクトルを用いたＬＴＥ／ＬＴＥ−Ａセルのためにアンカーとして働き、関連するセル情報（たとえば、無線フレームタイミング、共通チャネル構成、システムフレーム番号またはＳＦＮなど）を与える、ブートストラップモードで動作し得る。このモードでは、無認可スペクトルを用いないＬＴＥ／ＬＴＥ−Ａと無認可スペクトルを用いたＬＴＥ／ＬＴＥ−Ａとの間に、密接な相互作用が存在し得る。たとえば、ブートストラップモードは、上記で説明した補助ダウンリンクモードとキャリアアグリゲーションモードとをサポートし得る。無認可スペクトルを用いたＬＴＥ／ＬＴＥ−ＡネットワークのＰＨＹ−ＭＡＣレイヤは、無認可スペクトルを用いたＬＴＥ／ＬＴＥ−Ａネットワークが、無認可スペクトルを用いないＬＴＥネットワークとは無関係に動作する、スタンドアロンモードで動作し得る。この場合、たとえば、コロケートされた、無認可スペクトルを用いた／用いないＬＴＥ／ＬＴＥ−Ａセルを用いたＲＬＣレベルのアグリゲーション、あるいは複数のセルおよび／または基地局にわたるマルチフローに基づいて、無認可スペクトルを用いないＬＴＥと無認可スペクトルを用いたＬＴＥ／ＬＴＥ−Ａとの間に緩い相互作用が存在し得る。
【００２３】
[0034]本明細書で説明する技法は、ＬＴＥに限定されず、ＣＤＭＡ、ＴＤＭＡ、ＦＤＭＡ、ＯＦＤＭＡ、ＳＣ−ＦＤＭＡ、および他のシステムなどの様々なワイヤレス通信システムにも使用され得る。「システム」と「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法は、ＬＴＥ適用例以外に適用可能である。
【００２４】
[0035]したがって、以下の説明は、例を与えるものであり、特許請求の範囲に記載された範囲、適用可能性、または構成を限定するものではない。本開示の趣旨および範囲から逸脱することなく、論じられる要素の機能および構成において変更が行われ得る。様々な実施形態は、適宜に様々な手順または構成要素を省略、置換、または追加し得る。たとえば、説明する方法は、説明する順序とは異なる順序で実施され得、様々なステップが追加、省略、または組み合わせられ得る。また、いくつかの実施形態に関して説明する特徴は、他の実施形態において組み合わせられ得る。
【００２５】
[0036]最初に図１を参照すると、図はワイヤレス通信システムまたはネットワーク１００の一例を示している。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を介して制御情報および／またはユーザデータをコアネットワーク１３０と通信し得る。実施形態では、基地局１０５は、ワイヤードまたはワイヤレス通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２６】
[0037]基地局１０５は、１つまたは複数の基地局アンテナを介してデバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の好適な用語で呼ばれることがある。基地局のためのカバレージエリア１１０は、カバレージエリアの一部分のみを構成するセクタ（図示せず）に分割され得る。システム１００は、異なるタイプの基地局１０５（たとえば、マクロ基地局、マイクロ基地局、および／またはピコ基地局）を含み得る。異なる技術について重複するカバレージエリアがあり得る。
【００２７】
[0038]いくつかの実施形態では、システム１００は、１つまたは複数の無認可スペクトル動作モードまたは展開シナリオをサポートするＬＴＥ／ＬＴＥ−Ａネットワークである。他の実施形態では、システム１００は、無認可スペクトルと、無認可スペクトルを用いたＬＴＥ／ＬＴＥ−Ａとは異なる接続技術とを使用して、または認可スペクトルと、ＬＴＥ／ＬＴＥ−Ａとは異なる接続技術とを使用して、ワイヤレス通信をサポートし得る。それぞれ基地局１０５およびデバイス１１５について説明するために、発展型ノードＢ（ｅＮＢ）およびユーザ機器（ＵＥ）という用語が概して使用され得る。システム１００は、異なるタイプのｅＮＢが様々な地理的領域にカバレージを与える、無認可スペクトルを用いたまたは用いない異種ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。ピコセル、フェムトセル、および／または他のタイプのセルなどのスモールセルは、低電力ノードすなわちＬＰＮを含み得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００２８】
[0039]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を通して）、直接的または間接的に、互いに通信し得る。システム１００は同期動作または非同期動作をサポートし得る。同期動作の場合、ｅＮＢは同様のフレームタイミングおよび／またはゲーティングタイミングを有し得、異なるｅＮＢからの送信は時間的にほぼ整合され（aligned）得る。非同期動作の場合、ｅＮＢは異なるフレームタイミングおよび／またはゲーティングタイミングを有し得、異なるｅＮＢからの送信は時間的に整合されない場合がある。本明細書で説明する技法は、同期動作または非同期動作のいずれにも使用され得る。
【００２９】
[0040]ＵＥ１１５はシステム１００全体にわたって分散され、各ＵＥは固定またはモバイルであり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００３０】
[0041]システム１００中に示された通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、一方、アップリンク送信は逆方向リンク送信と呼ばれることもある。ダウンリンク送信は、認可スペクトル（たとえば、ＬＴＥ）、無認可スペクトル（たとえば、無認可スペクトルを用いたＬＴＥ／ＬＴＥ−Ａ）、または両方（たとえば、無認可スペクトルを用いた／用いないＬＴＥ／ＬＴＥ−Ａ）を使用して行われ得る。同様に、アップリンク送信は、認可スペクトル（たとえば、ＬＴＥ）、無認可スペクトル（たとえば、無認可スペクトルを用いたＬＴＥ／ＬＴＥ−Ａ）、または両方（無認可スペクトルを用いた／用いないＬＴＥ／ＬＴＥ−Ａ）を使用して行われ得る。
【００３１】
[0042]システム１００のいくつかの実施形態では、無認可スペクトルを用いたＬＴＥ／ＬＴＥ−Ａのための様々な展開シナリオは、認可スペクトル中のＬＴＥダウンリンク容量が無認可スペクトルにオフロードされ得る補助ダウンリンク（ＳＤＬ）モードと、ＬＴＥダウンリンク容量とＬＴＥアップリンク容量の両方が認可スペクトルから無認可スペクトルにオフロードされ得るキャリアアグリゲーションモードと、基地局（たとえば、ｅＮＢ）とＵＥとの間のＬＴＥダウンリンク通信およびＬＴＥアップリンク通信が無認可スペクトル中で行われ得るスタンドアロンモードとを含んでサポートされ得る。基地局１０５ならびにＵＥ１１５は、これらまたは同様の動作モードのうちの１つまたは複数をサポートし得る。無認可スペクトル中でのＬＴＥダウンリンク送信のために通信リンク１２５中でＯＦＤＭＡ通信信号が使用され得、一方、無認可スペクトル中でのＬＴＥアップリンク送信のために通信リンク１２５中でＳＣ−ＦＤＭＡ通信信号が使用され得る。システム１００などのシステムにおける、無認可スペクトルの展開シナリオまたは動作モードを用いたＬＴＥ／ＬＴＥ−Ａの実装形態に関するさらなる詳細、ならびに無認可スペクトルを用いたＬＴＥ／ＬＴＥ−Ａの動作に関係する他の特徴および機能を、図２Ａ〜図１１Ｂを参照しながら以下に与える。
【００３２】
[0043]次に図２Ａを参照すると、図２００は、無認可スペクトルを用いたＬＴＥ／ＬＴＥ−ＡをサポートするＬＴＥネットワークのための補助ダウンリンクモードとキャリアアグリゲーションモードとの例を示す。図２００は、図１のシステム１００の部分の一例であり得る。その上、基地局１０５−ａは図１の基地局１０５の一例であり得、ＵＥ１１５−ａは図１のＵＥ１１５の例であり得る。
【００３３】
[0044]図２００における補助ダウンリンクモードの例では、基地局１０５−ａは、ダウンリンク２０５を使用してＵＥ１１５−ａにＯＦＤＭＡ通信信号を送信し得る。ダウンリンク２０５は、無認可スペクトル中の周波数Ｆ１に関連付けられる。基地局１０５−ａは、双方向リンク２１０を使用して同じＵＥ１１５−ａにＯＦＤＭＡ通信信号を送信し得、双方向リンク２１０を使用してそのＵＥ１１５−ａからＳＣ−ＦＤＭＡ通信信号を受信し得る。双方向リンク２１０は、認可スペクトル中の周波数Ｆ４に関連付けられる。無認可スペクトル中のダウンリンク２０５、および認可スペクトル中の双方向リンク２１０は、同時に動作し得る。ダウンリンク２０５は、基地局１０５−ａにダウンリンク容量オフロードを与え得る。いくつかの実施形態では、ダウンリンク２０５は、（たとえば、１つのＵＥに宛てられた）ユニキャストサービスのサービスのために、または（たとえば、いくつかのＵＥに宛てられた）マルチキャストサービスのために使用され得る。このシナリオは、認可スペクトルを使用しトラフィックおよび／またはシグナリング輻輳の一部を緩和する必要があるどんなサービスプロバイダ（たとえば、従来のモバイルネットワーク事業者すなわちＭＮＯ）でも起こり得る。
【００３４】
[0045]図２００におけるキャリアアグリゲーションモードの一例では、基地局１０５−ａは、双方向リンク２１５を使用してＵＥ１１５−ａにＯＦＤＭＡ通信信号を送信し得、双方向リンク２１５を使用して同じＵＥ１１５−ａからＳＣ−ＦＤＭＡ通信信号を受信し得る。双方向リンク２１５は、無認可スペクトル中の周波数Ｆ１に関連付けられる。基地局１０５−ａはまた、双方向リンク２２０を使用して同じＵＥ１１５−ａにＯＦＤＭＡ通信信号を送信し得、双方向リンク２２０を使用して同じＵＥ１１５−ａからＳＣ−ＦＤＭＡ通信信号を受信し得る。双方向リンク２２０は、認可スペクトル中の周波数Ｆ２に関連付けられる。双方向リンク２１５は、基地局１０５−ａにダウンリンクおよびアップリンク容量オフロードを与え得る。上記で説明した補助ダウンリンクと同様に、このシナリオは、認可スペクトルを使用しトラフィックおよび／またはシグナリング輻輳の一部を緩和する必要があるどんなサービスプロバイダ（たとえば、ＭＮＯ）でも起こり得る。
【００３５】
[0046]図２００におけるキャリアアグリゲーションモードの別の例では、基地局１０５−ａは、双方向リンク２２５を使用してＵＥ１１５−ａにＯＦＤＭＡ通信信号を送信し得、双方向リンク２２５を使用して同じＵＥ１１５−ａからＳＣ−ＦＤＭＡ通信信号を受信し得る。双方向リンク２２５は、無認可スペクトル中の周波数Ｆ３に関連付けられる。基地局１０５−ａはまた、双方向リンク２３０を使用して同じＵＥ１１５−ａにＯＦＤＭＡ通信信号を送信し得、双方向リンク２３０を使用して同じＵＥ１１５−ａからＳＣ−ＦＤＭＡ通信信号を受信し得る。双方向リンク２３０は、認可スペクトル中の周波数Ｆ２に関連付けられる。双方向リンク２２５は、基地局１０５−ａにダウンリンクおよびアップリンク容量オフロードを与え得る。この例および上記に与えた例は説明の目的で提示されたものであり、容量オフロードのために無認可スペクトルを用いたＬＴＥ／ＬＴＥ−Ａと無認可スペクトルを用いないＬＴＥ／ＬＴＥ−Ａとを組み合わせる他の同様の動作モードまたは展開シナリオがあり得る。
【００３６】
[0047]上記で説明したように、無認可スペクトルを用いたＬＴＥ／ＬＴＥ−Ａを使用することによって提供される容量オフロードから利益を得ることができる典型的なサービスプロバイダは、ＬＴＥスペクトルを用いた従来のＭＮＯである。これらのサービスプロバイダでは、動作構成は、認可スペクトル上でＬＴＥ１次コンポーネントキャリア（ＰＣＣ）を使用し無認可スペクトル上でＬＴＥ２次コンポーネントキャリア（ＳＣＣ）を使用するブートストラップモード（たとえば、補助ダウンリンク、キャリアアグリゲーション）を含み得る。
【００３７】
[0048]補助ダウンリンクモードでは、無認可スペクトルを用いたＬＴＥ／ＬＴＥ−Ａのための制御は、ＬＴＥアップリンク（たとえば、双方向リンク２１０のアップリンク部分）を介してトランスポートされ得る。ダウンリンク容量オフロードを与える理由の１つは、データ需要がダウンリンク消費によって大きく動かされるからである。その上、このモードでは、ＵＥは無認可スペクトル中で送信していないので、規制上の影響がないことがある。ＵＥ上でリッスンビフォアトーク（ＬＢＴ：listen-before-talk）またはキャリア検知多重アクセス（ＣＳＭＡ：carrier sense multiple access）要件を実装する必要はない。ただし、ＬＢＴは、たとえば、周期的な（たとえば、１０ミリ秒ごとの）クリアチャネルアセスメント（ＣＣＡ）および／または無線フレーム境界に整合されたグラブアンドリリンキッシュ（grab-and-relinquish）機構を使用することによって基地局（たとえば、ｅＮＢ）上で実装され得る。
【００３８】
[0049]キャリアアグリゲーションモードでは、データおよび制御がＬＴＥ（たとえば、双方向リンク２１０、２２０、および２３０）で通信され得、データが、無認可スペクトルを用いたＬＴＥ／ＬＴＥ−Ａ（たとえば、双方向リンク２１５および２２５）で通信され得る。無認可スペクトルを用いたＬＴＥ／ＬＴＥ−Ａを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの下に入り得る。
【００３９】
[0050]図２Ｂは、無認可スペクトルを用いたＬＴＥ／ＬＴＥ−Ａのためのスタンドアロンモードの一例を示す図２００−ａを示す。図２００−ａは、図１のシステム１００の部分の一例であり得る。その上、基地局１０５−ｂは図１の基地局１０５と図２Ａの基地局１０５−ａとの一例であり得、ＵＥ１１５−ｂは図１のＵＥ１１５と図２ＡのＵＥ１１５−ａとの一例であり得る。
【００４０】
[0051]図２００−ａにおけるスタンドアロンモードの例では、基地局１０５−ｂは、双方向リンク２４０を使用してＵＥ１１５−ｂにＯＦＤＭＡ通信信号を送信し得、双方向リンク２４０を使用してＵＥ１１５−ｂからＳＣ−ＦＤＭＡ通信信号を受信し得る。双方向リンク２４０は、図２Ａを参照しながら上記で説明した無認可スペクトル中の周波数Ｆ３に関連付けられる。スタンドアロンモードは、スタジアム中アクセス（たとえば、ユニキャスト、マルチキャスト）など、非従来型ワイヤレスアクセスシナリオにおいて使用され得る。この動作モードの典型的なサービスプロバイダは、認可スペクトルを有しないスタジアムオーナー、ケーブル会社、イベントホスト、ホテル、企業、および大会社であり得る。これらのサービスプロバイダのために、スタンドアロンモードのための動作構成は無認可スペクトル上でＰＣＣを使用し得る。その上、ＬＢＴが基地局とＵＥの両方の上に実装され得る。
【００４１】
[0052]次に図３を参照すると、図３００は、様々な実施形態による、認可スペクトルおよび無認可スペクトル中で同時にＬＴＥを使用するときのキャリアアグリゲーションの一例を示す。図３００のキャリアアグリゲーション方式は、図２Ａを参照しながら上記で説明したハイブリッドＦＤＤ−ＴＤＤキャリアアグリゲーションに対応し得る。このタイプのキャリアアグリゲーションは、図１のシステム１００の少なくとも部分において使用され得る。その上、このタイプのキャリアアグリゲーションは、それぞれ図１および図２Ａの基地局１０５および１０５−ａにおいて、ならびに／またはそれぞれ図１および図２ＡのＵＥ１１５および１１５−ａにおいて使用され得る。
【００４２】
[0053]この例では、ダウンリンクにおけるＬＴＥに関してＦＤＤ（ＦＤＤ−ＬＴＥ）が実施され得、無認可スペクトルを用いたＬＴＥ／ＬＴＥ−Ａに関して第１のＴＤＤ（ＴＤＤ１）が実施され得、認可スペクトルを用いたＬＴＥに関して第２のＴＤＤ（ＴＤＤ２）が実施され得、認可スペクトルを用いたアップリンクにおけるＬＴＥに関して別のＦＤＤ（ＦＤＤ−ＬＴＥ）が実施され得る。ＴＤＤ１は６：４のＤＬ：ＵＬ比を生じるが、ＴＤＤ２の比は７：３である。時間スケール上で、異なる実効ＤＬ：ＵＬ比は、３：１、１：３、２：２、３：１、２：２、および３：１である。この例は説明の目的で提示されたものであり、無認可スペクトルを用いたＬＴＥ／ＬＴＥ−Ａの動作と無認可スペクトルを用いないＬＴＥ／ＬＴＥ−Ａの動作とを組み合わせる他のキャリアアグリゲーション方式があり得る。
【００４３】
[0054]図４は、図１の基地局／ｅＮＢのうちの１つであり得る基地局／ｅＮＢ１０５と、図１のＵＥのうちの１つであり得るＵＥ１１５との設計のブロック図を示す。ｅＮＢ１０５はアンテナ４３４ａ〜４３４ｔを装備し得、ＵＥ１１５はアンテナ４５２ａ〜４５２ｒを装備し得る。ｅＮＢ１０５において、送信プロセッサ４２０は、データソース４１２からデータを受信し、コントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリッド自動再送要求インジケータチャネル（ＰＨＩＣＨ）、物理ダウンリンク制御チャネル（ＰＤＣＣＨ）などのためのものであり得る。データは物理ダウンリンク共有チャネル（ＰＤＳＣＨ）などのためのものであり得る。送信プロセッサ４２０は、データと制御情報とを処理（たとえば、符号化およびシンボルマッピング）して、それぞれデータシンボルと制御シンボルとを取得し得る。送信プロセッサ４２０はまた、たとえば、１次同期信号（ＰＳＳ）、２次同期信号（ＳＳＳ）、およびセル固有基準信号のために、基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（たとえば、プリコーディング）を実施し得、出力シンボルストリームを変調器（ＭＯＤ）４３２ａ〜４３２ｔに与え得る。各変調器４３２は、（たとえば、ＯＦＤＭなどのために）それぞれの出力シンボルストリームを処理して、出力サンプルストリームを取得し得る。各変調器４３２は、出力サンプルストリームをさらに処理（たとえば、アナログへの変換、増幅、フィルタ処理、およびアップコンバート）して、ダウンリンク信号を取得し得る。変調器４３２ａ〜４３２ｔからのダウンリンク信号は、それぞれアンテナ４３４ａ〜４３４ｔを介して送信され得る。
【００４４】
[0055]ＵＥ１１５において、アンテナ４５２ａ〜４５２ｒは、ｅＮＢ１０５からダウンリンク信号を受信し得、受信信号をそれぞれ復調器（ＤＥＭＯＤ）４５４ａ〜４５４ｒに与え得る。各復調器４５４は、それぞれの受信信号を調整（たとえば、フィルタ処理、増幅、ダウンコンバート、およびデジタル化）して、入力サンプルを取得し得る。各復調器４５４は、（たとえば、ＯＦＤＭなどのために）入力サンプルをさらに処理して、受信シンボルを取得し得る。ＭＩＭＯ検出器４５６は、すべての復調器４５４ａ〜４５４ｒから受信シンボルを取得し、適用可能な場合は受信シンボルに対してＭＩＭＯ検出を実施し、検出シンボルを与え得る。受信プロセッサ４５８は、検出シンボルを処理（たとえば、復調、デインターリーブ、および復号）し、ＵＥ１１５のための復号されたデータをデータシンク４６０に与え、復号された制御情報をコントローラ／プロセッサ４８０に与え得る。
【００４５】
[0056]アップリンク上では、ＵＥ１１５において、送信プロセッサ４６４は、データソース４６２から（たとえば、物理アップリンク共有チャネル（ＰＵＳＣＨ）のための）データを受信し、処理し得、コントローラ／プロセッサ４８０から（たとえば、物理アップリンク制御チャネル（ＰＵＣＣＨ）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコードされ、（たとえば、ＳＣ−ＦＤＭなどのために）復調器４５４ａ〜４５４ｒによってさらに処理され、ｅＮＢ１０５に送信され得る。ｅＮＢ１０５において、ＵＥ１１５からのアップリンク信号は、アンテナ４３４によって受信され、復調器４３２によって処理され、適用可能な場合はＭＩＭＯ検出器４３６によって検出され、受信プロセッサ４３８によってさらに処理されて、ＵＥ１１５によって送られた復号されたデータおよび制御情報が取得され得る。プロセッサ４３８は、復号されたデータをデータシンク４３９に与え、復号された制御情報をコントローラ／プロセッサ４４０に与え得る。
【００４６】
[0057]コントローラ／プロセッサ４４０および４８０は、それぞれｅＮＢ１０５における動作およびＵＥ１１５における動作を指示し得る。ｅＮＢ１０５におけるコントローラ／プロセッサ４４０ならびに／または他のプロセッサおよびモジュールは、本明細書で説明する技法のための様々なプロセスを実施するか、またはその実行を指示し得る。ＵＥ１１５におけるコントローラ／プロセッサ４８０ならびに／または他のプロセッサおよびモジュールはまた、図５Ａ、図５Ｂ、および図８に示された機能ブロック、および／または本明細書で説明する技法のための他のプロセスを実施するか、またはその実行を指示し得る。メモリ４４２および４８２は、それぞれｅＮＢ１０５およびＵＥ１１５のためのデータおよびプログラムコードを記憶し得る。スケジューラ４４４は、ダウンリンク上および／またはアップリンク上でのデータ送信のためにＵＥをスケジュールし得る。
【００４７】
[0058]ＬＴＥ／ＬＴＥ−Ａを無認可スペクトルに拡張する際に、ＬＢＴ要件などの様々な追加の制約が、無認可スペクトル上に非保証型送信を生じる。そのような制約がある場合、無認可スペクトルを用いたＬＴＥ／ＬＴＥ−Ａシステムでは、一般に、高速フィードバック動作において、ＣＳＩフィードバックについて考慮され得る。
【００４８】
[0059]現在のＬＴＥ／ＬＴＥ−Ａシステムでは、ＣＳＩフィードバックは雑音推定のための参照サブフレームに基づき得、これにおいて、参照サブフレームは式ｎ−Ｍに従って識別され、ここで、ｎは現在のサブフレームを表し、Ｍは、参照サブフレームが位置する現在のサブフレームより前のサブフレームの数を表す。たとえば、典型的なＬＴＥ／ＬＴＥ−Ａシステムでは、Ｍ＝４つまたは５つのサブフレームである。また、チャネル状態ＣＳＩフィードバックのためのチャネル推定値は、現在のシステムでは制約なしチャネル測定値を用いて決定され得る。
【００４９】
[0060]ＵＥにおいてＣＳＩフィードバックを計算するために、ＣＳＩフィードバックブロックは、チャネル推定値および雑音推定値という２つの入力を受信する。送信モード３または４（ＴＭ３／ＴＭ４）などにおける高速ＣＳＩフィードバックでは、周期的あるいは広帯域制約におけるＣＳＩ報告は、ハードウェア実装形態において生成されるときは約２０μｓのオーバーヘッドで生成されるか、またはソフトウェア実装形態を使用して生成されるときは３０μｓのオーバーヘッドで生成され得る。
【００５０】
[0061]述べたように、無認可スペクトルを用いたＬＴＥ／ＬＴＥ−Ａシステムは、チャネル状態と干渉状態の両方についていくつかの新しい考慮事項をもたらす。無認可スペクトルを用いたＬＴＥ／ＬＴＥ−Ａシステムは、様々な追加の干渉源に遭遇し得る。たとえば、干渉は、同じまたは「サービング」事業者からの無認可信号から発生し得る。１つの事業者内の同期動作を仮定すると、この干渉はｅＮＢまたはＵＥあるいはその両方から発生し得る。異なる事業者からの無認可信号も干渉を生じ得、異なる事業者から発生するそのような干渉信号は、同期されないことがある。さらに、ＷｉＦｉ信号からの干渉に遭遇し得る。干渉するＷｉＦｉ信号は、無認可スペクトルを用いたＬＴＥ／ＬＴＥ−Ａシステムに関して非同期であり得る。しかし、そのようなＷｉＦｉ信号は、無認可スペクトル成分を用いたＬＴＥ／ＬＴＥ−ＡシステムとＷｉＦｉデバイスとの間の相互作用に応じて、無認可スペクトルを用いたＬＴＥ／ＬＴＥ−Ａシステムに影響を及ぼさないことがある。
【００５１】
[0062]干渉源の違いに加えて、無認可スペクトルを用いたＬＴＥ／ＬＴＥ−Ａシステムは、新しい干渉パターンを導入する。ＬＢＴ手順は、より多くの変量を干渉パターンに導入し得る。したがって、いくつかの干渉パターンは、各ＬＢＴフレームのＣＣＡステータスの同時配布（joint distribution）に依存し得る。この場合も、干渉は同じ／サービング事業者または異なる事業者のいずれかから発生し得る。これは、ＬＢＴ手順と非保証型送信とによって引き起こされるトラフィックパターンの変動に加えて起こる。
【００５２】
[0063]無認可スペクトルを用いたＬＴＥ／ＬＴＥ−Ａネットワーク中に存在する干渉の追加の源およびパターンに対処するために、様々な構成は、同じ事業者からの干渉であるか、異なる事業者からの干渉であるか、ＷｉＦｉ（登録商標）送信からの干渉であるかどうかを、チャネル状態情報（ＣＳＩ）を計算するときに干渉源の間で区別し得る。変化するチャネル状態に適応するために制御シグナリングを生成するとき、基地局は、近隣基地局のＣＣＡ結果の知識を使用し、ならびに、現在の干渉状態を反映するだけでなくいくつかの送信またはＬＢＴサブフレームにわたって遭遇される干渉をも含む干渉の計算を使用し得る。そのような干渉情報は、それが現在および履歴の両方の干渉値および確率に依存するので、本明細書ではヒステリシス（hysteretic）干渉情報と呼ぶ。基地局は、そのようなＣＣＡ結果情報と、ヒステリシス干渉情報と、基地局によって決定されるか、バックホールを介してネイバー基地局から直接受信されるか、あるいは被サービスＵＥからの測定報告において受信されるそのようなものの任意の組合せとに基づいて、そのような制御シグナリングを生成する。
【００５３】
[0064]図５Ａは、基地局において実行される例示的なブロックを示す機能ブロック図である。ブロック５００において、基地局１０５（図４）などの基地局は、複数の近隣基地局についてのＣＣＡ結果情報を取得する。このＣＣＡ結果情報は、近隣基地局が同じモバイルネットワーク事業者（ＭＮＯ）によって動作されるとき、バックホールを介してそのような近隣基地局から直接取得され得る。ＣＣＡ結果情報はまた、ＣＣＡクリアランスが近隣基地局によって取得されたときにそれらの近隣基地局から送信され得るチャネル使用ビーコン信号（ＣＵＢＳ：channel usage beacon signal）およびチャネル状態情報基準信号（ＣＳＩ−ＲＳ：channel state information reference signal）など、ＣＣＡ結果を示す送信信号についてリッスンしそれを検出することに基づいて推定または決定され得る。推定されるＣＣＡ結果情報は、基地局によって、またはサービング基地局に送信される測定報告中にこの情報を含める様々な被サービスＵＥによって決定され得る。
【００５４】
[0065]ブロック５０１において、基地局は、ＣＣＡ結果情報を使用してそれの被サービスＵＥのうちの１つまたは複数についての制御シグナリングを生成する。基地局１０５などの基地局が、いくつかの送信フレームにわたる近隣基地局のＣＣＡ結果の確率を含み得るＣＣＡ結果情報を知っているとき、基地局は、近隣基地局に起因し得る何らかの干渉に適応するかまたはそれを処理するために、ＵＥについて適切な制御信号をインテリジェントに選択し得る。たとえば、ＣＣＡ結果情報の知識を用いて、基地局は、被サービスＵＥの各々のために好適な変調コーディング方式（ＭＣＳ）を選択し得る。制御シグナリングが生成されると、次いで、ブロック５０２において、基地局は、生成された制御シグナリングを適切なＵＥに送信する。
【００５５】
[0066]図５Ｂは、ＵＥによって実行される例示的なブロックを示す機能ブロック図である。ブロック５０３において、ＵＥは、複数の近隣基地局についてのＣＣＡ結果情報を示す送信信号を検出する。送信エンティティがクリアＣＣＡを検出したとき、送信エンティティは、概して、ＣＵＢＳを使用して、クリアにされたチャネル上で直ちに送信し始める。さらに、基地局が、成功したＣＣＡチェック（検査）でチャネルをクリアしたとき、基地局と特定のＵＥとの間の通信を制御するためのＣＳＩフィードバックを取得するために、ＣＳＩ−ＲＳ信号が被サービスＵＥに送信される。
【００５６】
[0067]ブロック５０４において、ＵＥは、ＣＣＡ結果情報を示す送信信号に基づいて近隣基地局についてのＣＣＡ結果情報推定値を決定する。ＵＥ１１５などのＵＥは、近隣基地局についてのＣＣＡ結果確率を推論または推定するために現在のフレームにわたってまたは複数の送信フレームにわたって、たとえば、ＣＵＢＳ、ＣＳＩ−ＲＳなどの信号を検出し得る。
【００５７】
[0068]ブロック５０５において、ＵＥは、それのサービング基地局に測定報告を送信し、ここにおいて、測定報告はＣＣＡ結果情報推定値を含む。ＣＣＡ結果情報がＵＥによって推定されると、ＵＥは、サービング基地局への測定報告中にその情報を含め得る。サービング基地局は、次いで、無認可スペクトルを用いたＬＴＥ／ＬＴＥ−Ａ通信から生じる追加の干渉に関してその情報を使用して、さらなるＵＥ通信について適切な制御シグナリングを生成し、割り当て得る。
【００５８】
[0069]無認可スペクトルを使用するＬＴＥ／ＬＴＥ−Ａネットワークの展開は、複数の潜在的源からの様々な干渉パターンを提供するので、すべてのネイバーが同じＭＮＯ内にあるネットワークのロケーション、あるいは他のＭＮＯ基地局から非同期的に動作し得る他のＭＮＯによって動作される基地局をネイバーが含み得る他のロケーション、および専用ＷｉＦｉロケーションにおいてまたは異なるＷｉＦｉ対応デバイスがアドホック様式で送信し始めるときにＷｉＦｉ送信が起こり得るロケーションの間で、様々なシナリオに遭遇し得る。
【００５９】
[0070]図６Ａは、無認可スペクトルを含むＬＴＥ／ＬＴＥ−Ａネットワークのネットワークロケーション６０を示すブロック図である。ネットワークロケーション６０は、カバレージエリア６０１ｃ〜６０３ｃをそれぞれ有するｅＮＢ６０１〜６０３を含む。ｅＮＢ６０１〜６０３は、バックホール６０７を介して互いに通信する。ネットワークロケーション６０はまた、カバレージエリア６０４ｃをもつ小さいｅＮＢ６０４を反映している。ｅＮＢ６０１〜６０３および小さいｅＮＢ６０４は、同じＭＮＯによってそれぞれ動作され、互いに同期している。ＵＥ６００、６０５および６０６など、様々なユーザ機器がネットワークロケーション６０内に位置し、それぞれｅＮＢ６０１〜６０３および小さいｅＮＢ６０４によってサービスされる。
【００６０】
[0071]無認可スペクトルが展開されるＬＴＥ／ＬＴＥ−Ａネットワークでは、干渉源は、同じ事業者（「サービング」事業者）内のネットワークエンティティからの信号で発生する。同じＭＮＯを用いると、干渉信号がｅＮＢから送信されるかＵＥから送信されるかその両方から送信されるかにかかわらず、同期した動作が仮定され得る。ネットワークロケーション６０中の各送信エンティティはリッスンビフォアトーク（ＬＢＴ）手順を使用するので、より多くの変動性が潜在的干渉パターンに導入される。たとえば、干渉パターンは、各ＬＢＴフレームのＣＣＡステータスの同時配布（joint distribution）に依存し得る。これは、トラフィックパターン変動に加えて起こる。たとえば、クリアＣＣＡステータスが取得されたとき、１つのクリアされたｅＮＢは、別のクリアされたｅＮＢのように送信すべき多くのデータを有しないことがあり、したがって、別のクリアされたｅＮＢよりも少数のサブフレームについて送信し得る。
【００６１】
[0072]無認可スペクトルを使用して送信するｅＮＢは、フェムト、ピコ、または他のリレー／小型セルタイプ基地局など、より小さいセルｅＮＢである可能性があり得ることに留意されたい。マクロ基地局は、通常、無認可スペクトル上の送信を使用し得ず、認可スペクトルを使用して送信する可能性がより高いであろう。しかし、様々な実装は、ＬＴＥ／ＬＴＥ−Ａ送信において無認可スペクトルを利用し得るｅＮＢまたは基地局のタイプに限定されない。
【００６２】
[0073]ＬＴＥ時分割複信（ＴＤＤ）システム関して、異なるｅＮＢは、異なるＴＤＤアップリンク（ＵＬ）／ダウンリンク（ＤＬ）サブフレーム構成を使用し得る。したがって、サブフレーム３における１つのネイバー基地局はダウンリンク動作のために構成され得るが、サブフレーム３における別のネイバーまたはサービング基地局は、異なるＵＬ／ＤＬサブフレーム構成を使用し、したがって、アップリンク動作のために構成される。この送信不整合（transmission mismatch）も干渉につながり得る。
【００６３】
[0074]サービングｅＮＢが近隣セルからのＣＣＡ決定を知っている場合、サービングｅＮＢは、近隣の干渉に対処するために被サービスＵＥについて制御シグナリングを選択し得る。たとえば、ｅＮＢ６０１が、近隣セル、ｅＮＢ６０２〜６０３および小さいｅＮＢ６０４からのＣＣＡ決定を知っている場合、ｅＮＢ６０１は、ＵＥ６００について適切なＭＣＳを選択し得る。別の例示的なオプションは、ｅＮＢ６０１が、パイロット信号のために直交復調基準信号（ＤＭ−ＲＳ）ポートを選択し、データの送信のために直交プリコーダを選択することであり得る。このＣＣＡ決定情報は、バックホール６０７を介してｅＮＢ６０２〜６０３から直接通信され得る。その上、ｅＮＢ６０２および６０３は支配的干渉を提供し得るので、各々は同じＬＢＴフレーム中にアクティブでないことがある。このように、複数のＬＢＴフレームにわたってｅＮＢ６０２および６０３のために複数のＣＳＩ仮定が使用され得る。
【００６４】
[0075]さらに、ｅＮＢ６０１は、ｅＮＢ６０２〜６０３と小さいｅＮＢ６０４とから検出されたＣＵＢＳまたはＣＳＩ−ＲＳに基づいて様々なＬＢＴフレームにわたって雑音推定値を合成し得る。ＣＣＡ応答情報を示すこれらの検出された送信に基づいて、ＣＣＡ応答確率が決定され得、ｅＮＢ６０１は、ＵＥ６００について適切な制御信号を生成するためにこのＣＣＡ応答確率を使用し得る。
【００６５】
[0076]複数の送信フレームまたはＬＢＴフレームにわたって生成されたとき、ＣＣＡ応答情報は「空間」分解能を失い得ることに留意されたい。すなわち、様々な干渉源の特定のロケーションおよび配向（orientations）は、特定の干渉ロケーションの代わりに、確率に平均化または正規化される。
【００６６】
[0077]追加の実装では、ｅＮＢ６０１が、ｅＮＢ６０２〜６０３および小さいｅＮＢ６０４などのそれの近隣セルから直接ＣＣＡ決定を受信しない場合、ｅＮＢ６０１は、ＵＥ６００のようなＵＥをスケジュールするために平均化されたＣＳＩに依拠し得る。たとえば、ＣＳＩ計算は、雑音推定値の支配的干渉についてＣＣＡ結果確率を考慮に入れ得る。そのようなＣＣＡ確率は、送信される場合、複数のＬＢＴフレーム中のＣＵＢＳ、ＣＳＩ−ＲＳ、または他の信号の検出を通してＵＥ６００によって決定され得る。ＵＥ５００などのＵＥによって生成されたとき、ＵＥ５００は、推定されたＣＣＡ応答確率情報を測定報告においてｅＮＢ６０１に送信し得る。ｅＮＢ６０１は、次いで、受信された測定報告から、推定されたＣＣＡ応答確率情報を使用し得る。
【００６７】
[0078]図６Ｂは、無認可スペクトルを含むＬＴＥ／ＬＴＥ−Ａネットワークのネットワークロケーション６１を示すブロック図である。図６Ｂに示された例示では、同じ要素が識別される。しかしながら、ｅＮＢ６０２は、ｅＮＢ６０１とは異なるＭＮＯに属する。同様に、ｅＮＢ６０３は、ｅＮＢ６０１〜６０２のいずれとも異なるＭＮＯに属する。ｅＮＢ６０１〜６０３によって動作されるネットワークの各々は互いに非同期ある。ネットワークロケーション６１など、そのようなネットワークロケーションでは、干渉は、ｅＮＢ６０１のＭＮＯに属するネットワークエンティティ、ならびにｅＮＢ６０２および６０３のＭＮＯに属するネットワークエンティティなど、多くの異なる源から発生し得る。ｅＮＢ６０２および６０３からなど、異なるＭＮＯから発生する干渉は、ｅＮＢ６０２および小さいｅＮＢ６０４を通して動作されるＭＮＯに接続されたＵＥ６０５からの送信、ならびにｅＮＢ６０２および小さいｅＮＢ６０４からの送信、およびｅＮＢ６０３を通して動作されるＭＮＯに接続されたＵＥ６０６からの送信、ならびにｅＮＢ６０３からの送信を含む。他のＭＮＯ中のネットワークエンティティからの干渉は、ｅＮＢ６０１を通して動作されるＭＮＯと同期されない。したがって、干渉送信を通して様々な信号を検出するために追加の処理が実施され得る。
【００６８】
[0079]互いに非同期であり得る複数の異なる干渉源に加えて、複数の干渉パターンに遭遇し得る。無認可スペクトルを含むＬＴＥ／ＬＴＥ−Ａシステムでは、ＬＢＴ手順は、より多くの変数（variable）を干渉パターンに導入する。干渉パターンは、同じＭＮＯ中のエンティティからまたは異なる非同期ＭＮＯにわたるエンティティからのものであり得る、各ＬＢＴフレームの送信エンティティの各々にわたるＣＣＡステータスおよび結果の同時配布に依存し得る。図６Ａに関して上述したように、ＣＣＡ結果情報の配布に基づく干渉パターンのこの変動は、異なる送信負荷、異なるＴＤＤ  ＵＬ／ＤＬ構成などのために起こり得るトラフィックパターン変動に加えて起こり得る。
【００６９】
[0080]同じＭＮＯ内の同期した源からの干渉を処理するために、図６Ａに関して説明したものと同様の手順が使用され得る。たとえば、バックホールを介してｅＮＢ６０１において他のｅＮＢから直接ＣＣＡ決定を受信すること、あるいはＣＣＡ結果情報を示す観測されたまたは検出された信号に基づいてＣＣＡ結果情報を決定することによって。しかしながら、ネットワークロケーション６１は、それぞれｅＮＢ６０１〜６０３を通して動作される３つの別個のＭＮＯを示しており、異なるＭＮＯの異なるｅＮＢの間にバックホールは存在しない。したがって、異なる事業者の異なるｅＮＢから来ている干渉について、平均的なまたは処理された干渉が捕捉され得る。上述したように、このヒステリシス干渉情報は、現在の干渉測定または検出だけに基づくのではなく、複数のＬＢＴフレームにわたって検出された干渉状態にも基づく。このヒステリシス干渉情報は、ｅＮＢ６０２〜６０３および小さいｅＮＢ６０４など、様々な近隣基地局にわたるＣＣＡ確率を提供する。
【００７０】
[0081]ＣＣＡ失敗が起きたとき、干渉が測定され得る。ｅＮＢ６０１などのｅＮＢはＣＣＡ失敗を検出するので、ｅＮＢは送信しない。したがって、ｅＮＢは近隣基地局からの干渉をリッスンし、測定し得る。追加の態様では、干渉測定にある程度のインテリジェンスを与えるために、干渉に重みが加算され得る。重みは、近隣基地局の失敗したおよび成功したＣＣＡを通して起こり得る干渉信号の変動性に適応し得る。重みは、ＵＥが複数の送信サブフレームにわたってどのように干渉を受けるかを識別する、ＵＥ６００などの被サービスＵＥからの情報を含み得る。したがって、ＵＥからの干渉確率情報が、ＵＥが別のＭＮＯにおける近隣ｅＮＢからの干渉のより高い割合を被ること、たとえば、ＵＥ６００がｅＮＢ６０２から干渉を受けていることを示す場合、この情報は、ｅＮＢ６０１によって検出されたｅＮＢ６０２からの干渉信号を修正するために使用され得る。ｅＮＢ６０２は、それがＵＥ６００から離れているよりも、ｅＮＢ６０１からさらに遠くに離れているので、測定または検出される干渉は、ＵＥ６００が受ける干渉よりも低くなり得る。したがって、ｅＮＢ６０１は、ＵＥ６００がｅＮＢ６０２から受ける可能性がより高くなる実際の干渉をより良く反映するために、場合によっては測定報告または他のアップリンク制御シグナリングにおいて、ＵＥ６００から受信されたその干渉確率情報を使用して、検出された干渉を重み付けし得る。
【００７１】
[0082]ｅＮＢ６０１などのサービングｅＮＢによって決定されるか、あるいはＵＥ６００などの被サービスＵＥから受信されるヒステリシス干渉情報を使用して、複数の送信フレームにわたって受ける干渉の確率を測定し、処理するとき、サービング基地局は、たとえば、近隣ＭＮＯのタイミングを決定し、それ自体とｅＮＢ６０３を通して動作される非同期ＭＮＯとの間の相互作用を理解し始め得る。
【００７２】
[0083]図６Ｃは、無認可スペクトルを含むＬＴＥ／ＬＴＥ−Ａネットワークのネットワークロケーション６１を示すブロック図である。図６Ｃに示された例示的な態様では、同じ要素が識別される。しかしながら、図６Ｃに示された例では、図６Ｂに示されているように、ｅＮＢ６０１〜６０３が異なるＭＮＯに属するだけでなく、ＷｉＦｉ送信がネットワークロケーション６２中に存在し、ＵＥ６００に干渉送信を与える。ＷｉＦｉルータ６０８は、固定ロケーションにおいてインターネットアクセスを提供し、ＵＥ６０６ｉは、別のワイヤレスＷｉＦｉルータ（図示せず）を通してインターネットにアクセスするためにＷｉＦｉ送信機をオンにする。したがって、干渉は、同じ事業者から、異なる非同期事業者から、または、同じくＷｉＦｉ送信からのネットワークエンティティから発生し得る。
【００７３】
[0084]無認可スペクトルを有するＬＴＥ／ＬＴＥ−Ａネットワークに関連するネットワークエンティティとＷｉＦｉデバイスとの間の相互作用に応じて、無認可スペクトルを用いたＬＴＥ／ＬＴＥ−Ａネットワークへの干渉の影響がないことがあることに留意されたい。
【００７４】
[0085]異なるＭＮＯからのｅＮＢとともに図６Ｂに示されたＬＴＥ／ＬＴＥ−ＡネットワークへのＷｉＦｉシグナリングの追加は、干渉パターンの変動を変化させないことがある。たとえば、干渉パターンは、この場合も、各ＬＢＴフレームのＣＣＡステータスおよび結果の同時配布に依存し得、異なる送信機間のトラフィックパターン変動による干渉の変化に加えて、同じまたは異なるＭＮＯから発生し得る。しかしながら、ＷｉＦｉ信号はブロードバンドであるので、ＷｉＦｉサブキャリアを搬送するすべてのデータはロードされ得る。ＬＴＥ／ＬＴＥ−Ａネットワークでは、シグナリングは、チャネル状態とネットワークローディングとに応じて周波数選択性であり得る。したがって、ＷｉＦｉ信号からの干渉パターンは、実際は、ＬＴＥとは異なる干渉パターンを引き起こし得る。したがって、干渉パターンに対する変動は、ＷｉＦｉ送信に基づいて変化しないという保証はない。
【００７５】
[0086]同じＭＮＯ内の同期した源からの干渉を処理するために、図６Ａに関して説明したものと同様の手順が使用され得る。たとえば、バックホールを介してｅＮＢ６０１において他のｅＮＢから直接ＣＣＡ決定を受信すること、あるいはＣＣＡ結果情報を示す観測または検出された信号に基づいてＣＣＡ結果情報を決定することによって。ＷｉＦｉ送信から受ける干渉は、図６Ｂにおいて図示および説明したように、異なる事業者の異なるｅＮＢから発生している干渉と同様に処理され得る。たとえば、ＷｉＦｉ送信について、平均化または処理された干渉が捕捉され得る。上述したように、このヒステリシス干渉情報は、現在の干渉測定または検出だけに基づくのではなく、複数のＬＢＴフレームにわたって検出された干渉状態にも基づく。このヒステリシス干渉情報は、より予測可能なまたは一貫した干渉を提供し得るＷｉＦｉルータ６０８から、およびＵＥ６０６ｉ内のＷｉＦｉ送信機がアクティブにされたときのみ潜在的に干渉ＷｉＦｉ信号を送信することになるＵＥ６０６ｉなどの「隠れた」ＷｉＦｉソースからなど、固定ＷｉＦｉ送信機から受け得る干渉についてのより詳細な概要(summary)を提供する。一態様では、ＷｉＦｉ干渉は、無認可スペクトルを用いたＬＴＥ／ＬＴＥ−Ａを使用して動作しているネットワークエンティティからの他の無認可スペクトル送信から分離され得る。
【００７６】
[0087]共有無認可スペクトルを用いたＬＴＥ／ＬＴＥ−Ａシステムでは、送信を開始する前にノードによってＬＢＴが使用される。ＣＣＡ検査などのＬＢＴ手順を使用するこのシステムは、共有リソースについて競合している複数のエンティティに競合ベーススペクトルアクセスソリューションを提供する。図７Ａは、共有無認可スペクトルを用いたＬＴＥ／ＬＴＥ−Ａシステムのための例示的なフレーム構造７０を示すブロック図である。異なる事業者／セルによって共有され得る、複数のＣＣＡ（クリアチャネルアセスメント）機会が利用可能であり得る。ｅＮＢおよびＵＥはＣＣＡを別々に実施し得る。たとえば、ダウンリンクＣＣＡ機会は、特別サブフレーム９、特別ＳＦ９（Special SF9）に示され、アップリンクＣＣＡ機会は、特別サブフレーム５、特別ＳＦ５（Special SF5）に示されている。ノード（ｅＮＢ、ＵＥなど）はまた、ＣＣＡ免除送信（ＣＥＴ：CCA exempt transmission）を有し得る。ＣＣＡ検査は、すべてのノード送信に必要であるとは限らない。たとえば、ＣＣＡ検査は、いくつかの規制上の要件を受ける自律的送信には必要でないことがある。ＣＥＴは、定期的に、たとえば、サブフレームの整数分の１の持続時間を伴って、６０ｍｓ、８０ｍｓ、１００ｍｓなどごとに起こり得る。ＣＥＴはまた、ダウンリンク送信とアップリンク送信の両方のために存在し得る。ＣＥＴは、必要なシステム情報および他の有用な情報（たとえば、グループ電力制御、発見基準信号、システム情報ブロードキャスト信号など）を搬送し得る。
【００７７】
[0088]図７Ｂは、共有無認可スペクトルを用いたＬＴＥ／ＬＴＥ−Ａシステムのための例示的なサブフレーム構成７１を示すブロック図である。各ＣＣＡクリアされたフレームにおいて、共有無認可スペクトルを用いたＬＴＥ／ＬＴＥ−Ａシステムにおけるノードによってスケジュールされるダウンリンクサブフレームの数は、利用可能なダウンリンクサブフレームの数と常に同じであるとは限らない。ダウンリンクサブフレームの利用可能な数よりも少数であるこのスケジューリングは、限られたダウンリンクバッファ、干渉管理など、いくつかの異なる理由に起因し得る。例示的なサブフレーム構成７１に示されているように、第１の特別ＳＦ９内で行われるダウンリンクＣＣＡ検査はクリアとして検出され、それにより、ダウンリンクサブフレームＳＦ０〜ＳＦ４の各々、および特別ＳＦ５のダウンリンク部分はクリアされる。しかしながら、例示的なサブフレーム構成７１に関連するｅＮＢは、ＳＦ０〜ＳＦ２においてダウンリンク送信のみをスケジュールし、ＳＦ３〜ＳＦ４および特別ＳＦ５のダウンリンク部分を、ｅＮＢ送信のために、しかしスケジュールトラフィックなしでクリアされたままにする。
【００７８】
[0089]ＬＴＥにおける干渉測定は、復調および／またはＣＳＩフィードバックのために使用され得る。共有無認可スペクトルを用いないＬＴＥシステムでは、干渉測定は、共通基準信号（ＣＲＳ）に基づいてあるいは干渉測定リソース（「ＩＭＲ」または「ＣＳＩ−ＩＭ」）に基づいて実施され得る。特に、ＩＭＲはゼロ電力（ＺＰ）ＣＳＩ−ＲＳ構成に基づき得る。ＺＰ  ＣＳＩ−ＲＳは、ＲＲＣによって周期的に、たとえば、４つのＲＥ／ＰＲＢペアの単位で構成され得る。ＣＳＩ−ＲＳプロセスは、非ゼロ電力（ＮＺＰ）ＣＳＩ−ＲＳ構成とＩＭＲの両方に関連し得る。ＵＥは、ＮＺＰ  ＣＳＩ−ＲＳに基づいてチャネルを測定し得、ＩＭＲに基づいて干渉を測定し、次いで、それらの測定に基づいて対応するチャネル状態情報フィードバックを提供し得る。
【００７９】
[0090]競合ベース共有リソースを用いたおよびＬＴＥ／ＬＴＥ−Ａシステム内のノードは、様々な干渉状態に遭遇し得る。ＣＣＡ検査がクリアしなかったフレームでは、そのフレームにおいてＵＥによって経験されるダウンリンク干渉は、他の事業者、ＷｉＦｉからの隠れノード、および同じ事業者の異なるセルから発生し得る。ＣＣＡ検査がクリアしたフレームでは、そのフレームにおいてＵＥによって経験されるダウンリンク干渉は、他の事業者の隠れノード、ＷｉＦｉからの隠れノード、および同じ事業者の異なるセルから発生し得る。ＣＣＡ検査がクリアされ得るが、ｅＮＢが（たとえば、空のバッファ、または干渉管理に起因して）そのフレーム中で送信することを選択しないフレームでは、ｅＮＢがＣＣＡ検査を実施し、ＣＵＢＳを送信する場合、そのフレームにおいてＵＥによって経験されるダウンリンク干渉は、他の事業者の隠れノード、ＷｉＦｉからの隠れノード、および同じ事業者の異なるセルから発生し得る。ｅＮＢがＣＣＡ検査を実施しないことを選択するか、あるいは成功したＣＣＡ検査を実施するがＣＵＢＳを送信しない場合、そのフレームにおいてＵＥによって経験されるダウンリンク干渉は、他の事業者、ＷｉＦｉからの隠れノード、および同じ事業者の異なるセルから発生し得る。
【００８０】
[0091]さらに、ＣＣＡ検査がクリアであり、ｅＮＢがそのフレーム中で送信するフレームでは、ノードは、ダウンリンクサブフレームのサブセットにおいてのみスケジュールすることを選択し得る。たとえば、ノードは、最初の少数のダウンリンクサブフレームにおいて、または中間のダウンリンクサブフレームにおいて、または最後の少数のダウンリンクサブフレームにおいてのみダウンリンク送信をスケジュールし得る。非スケジュールダウンリンクサブフレームは、本質的に依存するノードのスケジューリング決定に動的である。スケジューリングが常にフレーム中の最初のサブフレームから開始し、スケジューリングが連続的である場合、より前のサブフレームは、典型的には、より後のサブフレームよりも多くの干渉に遭遇し得る。その上、異なるサブフレームは、特に異種混合ネットワークでは、異なる量の干渉に遭遇し得る。複数のサブフレームにわたる干渉平均化は干渉測定を改善するのに役立つが、すべてのサブフレームにわたるブラインド平均化は有用でないことがあり、実際は、実際のサブフレームごとに変化する干渉状態を正確に反映できないことがある。
【００８１】
[0092]様々なＬＢＴシナリオにわたって遭遇する複数の様々な干渉状態では、以下のケースについて異なる干渉状態を区別することが有益であり得る。カテゴリー１は、ＣＵＢＳがノードによって送信されないケースを含む。ケース１：ＣＣＡが実施されず、したがって、フレームはアイドルである。ケース２：ＣＣＡは実施されるが、ＣＣＡ検査がクリアである場合でもＣＵＢＳは送信されず、フレームはアイドルである。ケース３：ＣＣＡがクリアされない。カテゴリー２は、ノードがＣＵＢＳを送信するケースを含む。ケース４：ＣＣＡがクリアされ、ＣＵＢＳが送信され、フレームはダウンリンク制御またはデータ送信を搬送せず、それは、より良いＣＳＩフィードバック、ＵＬ許可の送信などによって誘導され得る。ケース５：ＣＣＡがクリアされ、ＣＵＢＳが送信され、利用可能なダウンリンクサブフレームのサブセットが送信のためにスケジュールされる。ケース６：ＣＣＡがクリアされ、ＣＵＢＳが送信され、すべてのダウンリンクサブフレームが送信のためにスケジュールされる。これらの２つのカテゴリーにおけるケースの各々では、ＵＥが、ＮＺＰ  ＣＳＩ−ＲＳおよび／またはＺＰ  ＣＳＩ−ＲＳが利用可能であるか否かを決定することが有益であり得る。干渉測定のためにＣＳＩ−ＲＳの時間領域存在を増加させる必要があるかどうか、およびそのような増加をどのように実装すべきかに関する考察も行われ得る。
【００８２】
[0093]多地点協調（ＣｏＭＰ）動作の場合、上記のＣＣＡ状態は、ＵＥについて１つまたは複数のセルを指し得ることに留意されたい。
【００８３】
[0094]干渉測定について、ケース１／２／３におけるＵＥは、概して、統計的に同じ干渉状態を経験し得る。フレームにおいてＵＥによって経験されるダウンリンク干渉は、他の事業者、ＷｉＦｉからの隠れノード、または同じ事業者の異なるセルから発生し得る。特に、ケース３は、ＣＣＡ検査の失敗が、他のノードからの送信によって引き起こされる高い干渉に起因し得るので、異なる干渉状態を経験し得る。ケース４／５／６におけるＵＥも、概して、統計的に同じ干渉状態を経験し得る。ケース４／５／６においてそのようなフレームにおいてＵＥによって経験されるダウンリンク干渉は、他の事業者からの隠れノード、ＷｉＦｉからの隠れノード、または同じ事業者の異なるセルから発生し得る。
【００８４】
[0095]チャネル測定について、ケース１／２／３は、チャネル測定のためにＮＺＰ  ＣＳＩ−ＲＳ（または他の非ゼロ電力基準信号、たとえば、ＣＵＢＳ）を搬送しない。ケース４は、チャネル測定のためにＮＺＰ  ＣＳＩ−ＲＳを搬送することも搬送しないこともあるが、ケース４のｅＮＢはＣＣＡ検査をクリアしているがダウンリンクデータを送信しないので、将来のフレームにおけるＤＬスケジューリングをより良く促進にするために、チャネル測定のためにケース４ではＮＺＰ  ＣＳＩ−ＲＳを可能にすることが有益であり得る。ケース５も、ＮＺＰ  ＣＳＩ−ＲＳが構成されるかどうかに応じて、およびスケジュールされたダウンリンクサブフレームのセットに応じて、チャネル測定のためにＮＺＰ  ＣＳＩ−ＲＳを搬送することも搬送しないこともある。ケース６は、ＮＺＰ  ＣＳＩ−ＲＳがフレーム中に入る場合、チャネル測定のためにＮＺＰ  ＣＳＩ−ＲＳを搬送する。本開示の様々な態様は、異なる干渉状態を区別することと、フレームについてのＣＣＡがクリアされたとき、ＮＺＰ  ＣＳＩ−ＲＳがそのフレーム中で送信されるかどうか、したがって、チャネル測定が利用可能であるかどうかを決定することとを対象とする。
【００８５】
[0096]図８は、本開示の一態様を実装するために実行される例示的なブロックを示すブロック図である。ブロック８００において、ＵＥが、競合ベース無線周波数スペクトルを利用する少なくとも１つのキャリアを識別する。たとえば、ＵＥは、競合ベース共有スペクトルを用いたＬＴＥ／ＬＴＥ−Ａシステムを識別し得る。
【００８６】
[0097]ブロック８０１において、ＵＥは、識別されたキャリアについてのＣＣＡ結果情報を示す送信信号を検出する。たとえば、ＵＥは、競合ベース共有スペクトルの一部である無認可スペクトル上のＣＵＢＳ送信についてリッスンし、それを検出し得る。
【００８７】
[0098]ブロック８０２において、ＵＥは、検出された送信信号に基づいてチャネル状態情報測定のために利用可能な基準信号がサブフレーム中に存在するかどうかを決定する。ＩＭＲ、ＺＰ  ＣＳＩ−ＲＳ、またはＮＺＰ  ＣＳＩ−ＲＳ（あるいはチャネル測定のための任意の他の非ゼロ電力基準信号、たとえば、ＣＵＢＳ）など、ＣＳＩ−ＲＳの存在の決定は、ＵＥによるブラインド検出に、または何らかの明示的指示に基づき得る。ブロック８０１において、ＵＥがＣＵＢＳを検出した場合、ＵＥによるブラインド検出はＣＵＢｓ検出にリンクされ得る。したがって、ＣＵＢＳが送信され、ブロック８０１においてＵＥによって検出された場合、基準信号はサブフレーム中に存在すると決定される。他の場合、ＵＥは、基準信号が存在しないと決定する。存在する場合、ＵＥは、基準信号上で測定を実施する。
【００８８】
[0099]ブロック８０３において、ＵＥは、基準信号が存在するという決定に少なくとも部分的に基づいて測定報告を送信する。ブロック８０１において、ＵＥがＣＵＢＳを検出したとき、ＵＥは、基準信号（たとえば、ＩＭＲ、ＺＰ  ＣＳＩ−ＲＳ、ＮＺＰ  ＣＳＩ−ＲＳなど）が存在すると決定し、基準信号を使用して測定を実施する。測定報告は、得られた測定値を含むことになる。
【００８９】
[00100]（たとえば、ＣｏＭＰまたは拡張干渉緩和およびトラフィック適応（ｅＩＭＴＡ）のために）２つ以上のＣＳＩ−ＲＳプロセスが構成された場合、共同決定（joint determination）よりも、ＣＳＩ−ＲＳプロセスごとの別々の決定が有益になり得る。図９は、本開示の一態様に従って構成されたＵＥ９０１を示すブロック図である。ＵＥ９０１は基地局９００によってサービスされる。通信ストリーム９０２は、基地局９００とＵＥ９０１との間のアップリンクおよびダウンリンク通信サブフレームを提供する通信フレームＦ０〜ＦＮを含む。例示的な一態様では、基地局９０３〜９０５は、ＵＥ９０１へのＣｏＭＰ動作を提供するために基地局９００と合流する。別の例示的な態様では、ｅＩＭＴＡ動作が基地局９０４〜９０５中に存在する。ｅＩＭＴＡ動作は、基地局９０４〜９０５とそれらのそれぞれのＵＥとの間の通信で送信されるサブフレームが、アップリンクからアップリンクにまたはダウンリンクからダウンリンクに方向を動的に変化させることを生じる。各例示的な態様では、複数のＣＳＩ−ＲＳプロセスが、第１の例ではＣｏＭＰ動作のために構成され、第２の例では得られたｅＩＭＴＡ動作のために構成され得る。第１のＣｏＭＰの例では、ＣｏＭＰ性能を改善するために基地局９０３〜９０５によってＣＳＩフィードバックが有益に使用され得るので、ＵＥ９０１は、基地局９００および９０３〜９０５が使用するＣＳＩフィードバックを別々に測定し、決定し得る。ｅＩＭＴＡの例では、サブフレームのいくつかが方向を動的に変化させ得るので、ＵＥ９０１は、アップリンク干渉に起因するＣＳＩフィードバックを、ダウンリンク干渉に起因するＣＳＩフィードバックから分離する。
【００９０】
[00101]その上、基準信号が利用可能でない場合（たとえば、ＣＵＢＳがフレームについて送信されない場合）、干渉測定は省略され得る。たとえば、基地局９００がフレームＦ０〜ＦＮのいずれにおいてもＣＵＢＳを送信しない場合、ＵＥ９０１は、それらのフレームについて干渉測定を省略し得る。フレームにおいて干渉が測定されない場合、ＵＥ  ９０１は、フレームについて完全にＣＳＩ報告を省略するか、あるいは前の測定に基づいてＣＳＩを報告し得る。ＣＵＢＳがフレームについて送信されないとき、フレームにおいて測定される干渉は、典型的には実際の干渉をうまく反映しない。したがって、干渉がＣＵＢＳ送信なしにフレームにおいて測定された場合、測定された干渉は、ＣＵＢＳが送信されたとき、フレームからの干渉測定でフィルタ処理されるべきでない。
【００９１】
[00102]本開示の追加の態様では、ｅＮＢ９００が送信すべきものを何も有しない場合でも、ｅＮＢ９００は、あるセルとそれの近隣セルとについての適切な干渉測定のためにＣＵＢＳを送信すること（ケース４）を依然として選択し得ることに留意されたい。
【００９２】
[00103]ＮＺＰ  ＣＳＩ−ＲＳ、ＩＭＲ、ＺＰ  ＣＳＩ−ＲＳなどの基準信号のブラインド復号の代わりに、本開示の態様は、基準信号存在の明示的指示をも提供し得る。たとえば、基地局９００は、基準信号がＵＥについてフレーム中に存在するか否かを示すブロードキャスト、グループキャスト、またはユニキャスト信号をＵＥ９０１に送信し得る。
【００９３】
[00104]本開示の様々な態様の別の例示的な設計では、ＣＵＢＳが基地局９００によってフレーム中で送信される限り、基準信号は、ＵＥ９０１によってフレーム中に存在すると常に仮定される。そのような構成では、ＮＺＰ  ＣＳＩ−ＲＳなどの基準信号を、フレームのまさに始端に配置することが有益であり得る。たとえば、基地局９００は、基準信号をＳＦ４の開始部分（ゾーンＡ）において送信し得る。場合によっては、他のダウンリンクトラフィックがない場合、それは、基準信号がキャリアを占有するためのリソースを浪費し得る。フレームの後の部分、ＳＦ４のゾーンＢを占有する基準信号も、ＣＳＩ報告の高速ターンアラウンドが望まれる場合は不都合であり得る。そのような態様の一実装形態では、ＣＵＢＳがフレーム中で送信される限り、基準信号は、それがフレームの前半（ゾーンＡ）中にある場合、常に送信される。フレームの後半（ゾーンＢ）について、基地局９００がダウンリンク送信をスケジュールしない場合、基準信号は送信されない。そのような態様の一実装形態では、ＣＵＢＳがフレーム中で送信される限り、基準信号は、それがフレームの最初のサブフレーム（Ｆ０）中にある場合、常に送信される。
【００９４】
[00105]本開示の追加の態様では、基地局９００は、基準信号の代替または追加としてＣＵＢＳを送信し得る。そのようなＣＵＢＳ送信はまた、少なくともケース４では、チャネル測定のためにＵＥ９０１によって使用され得る。ＣＳＩフィードバックのために使用されるＣＵＢＳは、すべての通常ＣＵＢＳ送信ではなく、１つまたは複数のＣＵＢＳ送信に限定され得る。
【００９５】
[00106]競合ベース共有無認可スペクトルを用いないＬＴＥシステムでは、ＣＳＩ−ＲＳは、ＵＥ固有の様式で構成される。競合ベース共有無認可スペクトルを用いたＬＴＥ／ＬＴＥ−Ａシステムでは、ＣＳＩ−ＲＳは、たとえば、各フレームのサブフレーム０および５においてＣＳＩ−ＲＳを提供することによって、セル固有の様式で構成され得る。
【００９６】
[00107]本開示の追加の態様は、サブフレーム依存の干渉測定を提供し得る。図１０は、本開示の一態様による競合ベース共有無認可スペクトルを有するワイヤレス通信システムにおける通信ストリーム１０００を示すブロック図である。フレーム１００１において、第１の特別ＳＦ９のダウンリンクＣＣＡ機会の後にＣＣＡがクリアされたとき、ＣＳＩは、異なるサブフレームにおける異なる量の干渉を反映するように計算され得る。ｅＮＢ（図示せず）は、フレーム１００１内の複数のサブフレーム中でＩＭＲ１００２を送信し得る。図示のように、ＩＭＲ１００２はＳＦ０、ＳＦ４、および特別ＳＦ５内で送信される。ＵＥ（図示せず）は、フレーム１００１の複数の部分について別々に干渉状態を測定するように構成またはトリガされ得る。たとえば、ＵＥは、ＳＦ０におけるＩＭＲ１００２を使用してフレーム１００１の第１の部分において、および特別ＳＦ５におけるＩＭＲ１００２を使用してフレーム１００１の後の部分において干渉状態を測定するように構成され得る。さらに、ＵＥは、ＳＦ４におけるＩＭＲ１００２を使用して干渉を測定するように構成され得る。測定されると、ＵＥは、フレーム１００１の各測定された部分について干渉を別々に報告することができる。
【００９７】
[00108]すべての近隣セルが、特別サブフレーム、特別ＳＦ５のダウンリンク部分を使用しない場合、ＵＥによって特別ＳＦ５のダウンリンク部分において捕捉される干渉は、異なる近隣セル間の同期的展開を仮定すると、完全にＷｉＦｉに起因し得ることに留意されたい。ＳＦ０およびＳＦ４など、すべての他の通常ダウンリンクサブフレームでは、ＩＭＲ１００２を使用して捕捉される干渉は、ＷｉＦｉ干渉と通常セル間干渉の両方に起因し得る。したがって、測定される干渉を通常ダウンリンクサブフレームと特別サブフレームのダウンリンク部分との間で平均化することは望ましくないことがある。
【００９８】
[00109]また、ＣＳＩ報告において隠れノード干渉を捕捉することが重要であり得る。同じ事業者のすべての近隣ノードがいくつかの共通「ブランク」サブフレームを有する場合、これは、特にＷｉＦｉに起因する隠れノード干渉を特定するのに役立ち得る。たとえば、再び図９を参照すると、基地局９０５は、基地局９００、９０３、および９０４、ならびにＵＥ９０１を含むネットワーク中の一般的検出から隠れているＷｉＦｉノードであり得る。すべての近隣ノードが、フレームＦ０〜ＦＮの特別サブフレームまたはいくつかの指定された通常サブフレーム中での送信を控える構成は、ＵＥ９０１が、隠れたＷｉＦｉ基地局９０５からの隠れノード干渉を捕捉し得る干渉を測定することを可能にし得る。その上、ＷｉＦｉノードからの干渉は、競合ベース共有無認可スペクトルを用いたＬＴＥ／ＬＴＥ−Ａシステムのシステム帯域幅よりも小さい帯域幅内にあり得る。そうである場合、ＵＥ９０１が、異なるサブバンドにわたって干渉を平均化しないことによって、サブバンド依存の干渉を区別することが望ましいことがある。代替的に、ＵＥ９０１は、サブバンド依存の報告を提供し得る。
【００９９】
[00110]本開示の追加の態様は、特定のＵＥのために提供される複数のＩＭＲ構成を提供し得る。たとえば、ＵＥ９０１のための一構成は、フレーム中のより前のサブフレーム（たとえば、ＳＦ４のゾーンＡ中のより前のサブフレーム）に対応し得るが、別の構成は、フレーム中のより後のサブフレーム（たとえば、ＳＦ４のゾーンＢ中のより後のサブフレーム）に対応し得、ＳＦ０〜ＳＦＮにわたる異なるＩＭＲ構成の周期性は必ずしも同じであるとは限らない。特定のＩＭＲ構成は、基地局９００からＲＲＣ構成信号を介してＵＥ９０１に通信され得る。ＵＥ９０１に通信されるもの以外の異なる構成がＵＥ９０６に通信され得る。さらに、異なる構成をもつ複数のＩＭＲが同じフレーム内に生じ得る。
【０１００】
[00111]ＩＭＲ構成はまた、追加の態様では、異なるサブフレーム状態について異なり得る。たとえば、他のダウンリンクトラフィックがないときのサブフレームのＩＭＲ構成は、他のトラフィックがあるときのサブフレームとは異なり得る。図９を参照すると、ＳＦ４のゾーンＢ内のサブフレームはダウンリンク通信のためにスケジュールされないことがある。したがって、ＳＦ４のゾーンＢにおけるＩＭＲなど、基準信号の構成は、ダウンリンク通信が基地局９００によってスケジュールされるＳＦ４のゾーンＡにおける基準信号とは異なり得る。さらに、サブフレームが空であると決定されたとき、ＵＥは、干渉測定のために空のサブフレーム全体を使用するように構成され得る。たとえば、図１０を参照すると、ＳＦ４は、ダウンリンク送信がスケジュールされない空のサブフレームである。したがって、通信ストリーム１０００を使用して通信しているＵＥは、干渉測定のためにＳＦ４の全長を使用し得る。複数のＩＭＲに関連する複数のＣＳＩ−ＲＳプロセスについてＣＳＩを報告するとき、ＣＳＩ報告は、別々にあるいは一緒にコーディングされ得る。特に、本開示の追加の態様ではＣＳＩフィードバックのためのサブフレーム差分コーディングも提供され得る。例示的な一態様では、第１のＩＭＲ構成に関連するＣＳＩプロセスのために４ビットＣＱＩが使用され得、第２のＩＭＲ構成に関連するＣＳＩプロセスのために２ビット差分ＣＱＩが使用され得る。別の例示的な態様では、差分ＣＱＩは、第２のＣＳＩが、第１のＣＳＩのそれよりも０ｄＢ、２ｄＢ、４ｄＢ、および６ｄＢ超だけより良いようになり得る。たとえば、図１０を参照すると、通信ストリーム１０００を使用して通信しているＵＥは、ＳＦ０において行われた測定について完全なＣＳＩ報告をフィードバックし、ＳＦ４において行われた測定について差分ＣＳＩ報告をフィードバックし得る。
【０１０１】
[00112]競合ベース共有無認可スペクトルを用いないＬＴＥシステムにおいて遭遇するサブフレーム干渉とは異なり、サブフレーム内の干渉のばらつきは、競合ベース共有無認可スペクトルを用いたＬＴＥ／ＬＴＥ−Ａシステムにおいて有意であり得る。バースト的ＷｉＦｉ干渉に起因して、また潜在的に、異なる事業者間の非同期動作および／または異なるフレーム構造に起因して、サブフレームの異なる部分において遭遇する干渉は著しく異なり得る。
【０１０２】
[00113]競合ベース共有無認可スペクトルを用いないＬＴＥシステムでは、ポートごとのＩＭＲは、帯域幅全体にわたってただ２つのシンボルにしか及ばない。本開示の一態様は、バースト的干渉を捕捉するために１つのＬＢＴフレーム中でより多くの基準信号を利用可能にすることを提供する。そのような追加のＣＳＩ−ＲＳは、基準信号について実質的にサブフレーム持続時間全体に、または、少なくとも、特別サブフレーム中のすべてのダウンリンクシンボルに及び得る。そのような態様ではオーバーヘッドを低減するために、指定されたＲＢにおいて提供される様々なＲＢまたは選択的存在においてホッピングパターンが採用され得る。
【０１０３】
[00114]図１１Ａおよび図１１Ｂは、本開示の態様に従って構成されたサブフレームを示すブロック図である。図１１Ａでは、基準信号１１０１が、基地局によってサブフレーム１１００の周波数１１０２全体にわたって送信される。基準信号１１０１は、サブフレーム１１００の各周波数およびシンボルにわたるホッピングパターンに従って送信される。図１１Ｂでは、基準信号１１０４が、サブフレーム１１０３の各周波数にわたって、ただし２つのＲＢ、ＲＢ  Ｙ０３〜Ｙ０４のみにわたって送信される。サブフレーム１１００および１１０３の各シンボルにわたって基準信号１１０１および１１０４の送信を実現することによって、ＵＥは、サブフレームの時間および周波数にわたってより多くのポイントにおいて干渉を測定することが可能であり得、それにより、バースト的干渉のより正確な測定が得られ得る。
【０１０４】
[00115]ＵＥによって提供されるＣＳＩフィードバックは、サブフレーム全体において観測される平均化された干渉、またはシンボル依存干渉の形態であり得る。後者の場合、サブフレーム内の干渉のばらつきが捕捉され得る。たとえば、参照の図１１Ａおよび図１１Ｂの場合、ＵＥは、明確に異なる干渉を生じ得る、サブフレーム１１００および１１０３内の異なるシンボルにおいて基準信号から測定値を取り得る。ＵＥは、別々にあるいは一緒に、異なるシンボルについての報告を送信し得る。シンボル依存の干渉報告の数は、サブフレーム中のシンボルの数に等しいかまたはそれよりも小さくなり得る。たとえば、図１１Ａおよび図１１Ｂに示されているように、サブフレームごとに１４個のシンボルを仮定すること、２つの報告が作成され得、１つの報告は、第１のスロット（最初の７つのシンボル）にわたる平均化された干渉であり、第２の報告は、第２のスロット（第２のシンボル）にわたる平均化された干渉である。
【０１０５】
[00116]本明細書の説明ではＣＳＩフィードバックのための干渉測定に焦点を当てるが、同様の設計は制御／データ復調のための干渉推定に適用され得る。たとえば、制御（たとえば、ＥＰＤＣＣＨ）および／またはデータチャネル（たとえば、ＰＤＳＣＨ）のための復調基準信号（ＤＭ−ＲＳ）は、干渉をより効率的にキャプチャするためにＤＭ−ＲＳの存在が実質的にフレーム中のすべてのシンボルにわたるように、同様の設計を採用することができる。再び図１１Ａおよび図１１Ｂを参照すると、そのような追加の態様では、ホッピングパターン（図１１Ａ）または選択的周波数存在（図１１Ｂ）のいずれかを使用して、サブフレーム１１００および１１０３中で送信される基準信号は、ＤＭ−ＲＳである。
【０１０６】
[00117]前に説明した本開示の態様は、共有無認可スペクトルを用いたＬＴＥ／ＬＴＥ−Ａネットワーク中の事業者および同じ事業者のノードが互いに同期していると仮定する。その結果、ノードがＣＣＡ検査をクリアし、ＣＵＢＳを送信した場合、他の事業者は、隠れノード問題に起因する（たとえば、他の事業者のノードが、当該のノードから十分な干渉を検知しない）のでない限り、同じフレーム中で送信すべきでない。しかしながら、非同期動作では、以前の解決策のいくつかが適用可能でないことがある。たとえば、フレーム中のより後のサブフレームは、他の事業者からのノードがより後のサブフレームをつかんでその中で送信する可能性がより高いので、フレーム中でより前のものよりも必ずしも少ない干渉を経験するとは限らない。さらに、上記で提示した差分ＣＳＩ報告は、より後のサブフレームについてのＣＳＩが、同じフレーム中のより前のサブフレームのＣＳＩよりも必ずしも良いとは限らないので、適用されないことがある。非同期シナリオでは、ノード内で空のサブフレーム中に捕捉される干渉がより有用になり得る。これらの空のサブフレーム中に測定されるそのような干渉は、他の事業者の非同期動作に起因する干渉状態を反映し得る。
【０１０７】
[00118]上述したように、競合ベース共有無認可スペクトルを用いたＬＴＥ／ＬＴＥ−Ａネットワークのためにサポートされ得るｅＩＭＴＡは、セル中のフレーム構造が最高でフレームごとに動的に変化させられる能力を提供する。したがって、異なる近隣セルも、動的に変化する異なるフレーム構造を有し得る。その結果、チャネルおよび／または干渉測定リソースの利用可能性は、対応するサブフレームが実際にダウンリンクサブフレームとして構成されるかアップリンクサブフレームとして構成されるかに従う。ＵＥは、ブラインド検出を介して、または、制御チャネルなどを通して、基地局からのシグナリングを介して、サブフレーム方向を決定することができる。サブフレームがアップリンクサブフレームであると決定すると、ＵＥは、サブフレームについてのチャネルおよび／または干渉測定、ならびに対応する報告を実施することを省略し得る。近隣セルが異なるフレーム構造を有する場合、近隣セル中のアップリンク送信に起因する干渉を捕捉することが有益であり得る。ただし、近隣セルのアップリンク送信に基づいて測定される干渉は、近隣セルのダウンリンク送信に基づいて測定される干渉と平均化されるべきでない。
【０１０８】
[00119]本開示の追加の態様では、上記したように、ケース１／２／３は、概して、ＵＥが干渉測定をスキップすべきであるケースと見なされる。しかしながら、本開示の追加の態様は、対応するＣＳＩ報告の受信時に、基地局がこの情報を依然として利用し得るように、ＣＵＢＳが送信されないこれらのケースについてＵＥが干渉測定を実施することを提供する。少なくとも非同期展開では、そのようなフレームについて測定される干渉は、実際の干渉を依然として反映し得る。本開示の追加の態様はまた、将来のフレームについて干渉をエミュレートするために、ＩＭＲ、ＺＰ  ＣＳＩ−ＲＳ、ＮＺＰ  ＣＳＩ−ＲＳなどの基準信号をフレーム中に入れることを提供し得る。すなわち、１つのフレームは、１つまたは複数のフレームのための基準信号を搬送し得る。
【０１０９】
[0120]当業者であれば、情報および信号は、様々な異なる技術および技法のいずれかを使用して表され得ることを理解されよう。たとえば、上記の説明全体にわたって参照され得るデータ、命令、コマンド、情報、信号、ビット、シンボル、およびチップは、電圧、電流、電磁波、磁場または粒子、光場または光粒子、あるいはそれらの任意の組合せによって表現され得る。
【０１１０】
[0121]図５Ａ、図５Ｂ、および図８の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１１１】
[0122]本明細書で本開示に関連して説明した様々な例示的論理ブロック、モジュール、回路、およびアルゴリズムステップは、電子ハードウェア、コンピュータソフトウェア、または両方の組合せとして実装され得ることを、当業者ならさらに諒解されよう。ハードウェアとソフトウェアのこの互換性を明確に示すために、様々な例示的な構成要素、ブロック、モジュール、回路、およびステップについて、上記では概してそれらの機能に関して説明した。そのような機能性がハードウェアとして実装されるか、またはソフトウェアとして実装されるかは、システム全体に課される特定のアプリケーションおよび設計制約に依存する。当業者は、説明した機能性を特定の適用例ごとに様々な方法で実装し得るが、そのような実装の決定は、本開示の範囲からの逸脱を生じるものと解釈すべきではない。当業者はまた、本明細書で説明した構成要素、方法、または相互作用の順序あるいは組合せは例にすぎないこと、および本開示の様々な態様の構成要素、方法、または相互作用は、本明細書で例示し、説明したもの以外の方法で組み合わせられるかまたは実施され得ることを容易に認識されよう。
【０１１２】
[0123]本明細書で開示する実施形態に関連して説明した様々な例示的論理ブロック、モジュール、および回路は、本明細書で説明した機能を実施するように設計された汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェア構成要素、あるいはそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサはまた、計算デバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１３】
[0124]本明細書の開示に関して説明した方法またはアルゴリズムのステップは、直接ハードウェアで具現化されるか、プロセッサによって実行されるソフトウェアモジュールで具現化されるか、またはその２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるようにプロセッサに結合される。代替として、記憶媒体はプロセッサと一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中の個別構成要素として存在し得る。
【０１１４】
[0125]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を容易にするすべての媒体を含む、コンピュータ記憶媒体と通信媒体との両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または格納するために使用され得、汎用もしくは専用コンピュータ、または汎用もしくは専用プロセッサによってアクセスされ得る、任意の他の媒体を備え得る。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【０１１５】
[0126]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１１６】
[0127]本開示についての以上の説明は、いかなる当業者でも本開示を作製または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
ユーザ機器(ＵＥ)によって、競合ベース無線周波数スペクトルを利用する少なくとも１つのキャリアを識別することと、
前記少なくとも１つのキャリアについてのクリアチャネルアセスメント（ＣＣＡ）結果情報を示す送信信号を検出することと、
前記検出された送信信号に基づいて、チャネル状態情報測定のための基準信号がサブフレーム中に存在するかどうかを決定することと、
前記ＵＥによって、測定報告を送信することと、ここにおいて、前記測定報告は、前記基準信号が存在すると前記決定することに少なくとも部分的に基づく、
を備える、ワイヤレス通信の方法。
［Ｃ２］
ＣＣＡ結果情報を示す前記送信信号は、前記決定することが実施される前記サブフレームを含む、複数のサブフレームから備える送信フレームについて検出される、Ｃ１に記載の方法。
［Ｃ３］
ＣＣＡ結果情報を示す前記送信信号は、チャネル使用ビーコン信号（ＣＵＢＳ）とチャネル状態情報基準信号（ＣＳＩ−ＲＳ）とのうちの１つまたは複数を含む、Ｃ１に記載の方法。
［Ｃ４］
前記ＵＥによって、複数の送信フレームにわたって前記基準信号の存在を決定することと、
前記基準信号が存在すると決定される、前記複数の送信フレームのうちの送信フレームの第１のセットについて、前記基準信号が不在であると決定されるフレームの第２のセットについてとは別個に、前記測定報告の一部として、干渉状態を処理することと、
をさらに含む、Ｃ１に記載の方法。
［Ｃ５］
送信フレーム中の第１のサブフレームについて第１の干渉測定を実施することと、
前記送信フレーム中の第２のサブフレームについて第２の干渉測定を実施することと、  前記第１の干渉測定に基づく第１の測定と、前記第２の干渉測定に基づく第２の測定とを備える測定報告を送信することと、
をさらに含む、Ｃ１に記載の方法。
［Ｃ６］
前記第１のサブフレームは通常であり、前記第２のサブフレームは特別サブフレームであり、ここにおいて、前記第１の測定は前記測定報告において前記第２の測定と平均化されない、Ｃ５に記載の方法。
［Ｃ７］
前記第１のサブフレームは第１の基準信号構成で構成され、前記第２のサブフレームは、前記第１の基準信号構成とは異なる第２の基準信号構成で構成された、Ｃ５に記載の方法。
［Ｃ８］
前記サブフレーム中の実質的にすべてのシンボル中に存在するリソース要素のセットに基づいて干渉測定を実施することをさらに含む、Ｃ１に記載の方法。
［Ｃ９］
前記基準信号は、
前記サブフレームの各周波数にわたるホッピングパターン、または
前記サブフレームの１つまたは複数の所定の周波数
のうちの１つに配置される、Ｃ８に記載の方法。
［Ｃ１０］
前記少なくとも１つのキャリアについて所定の持続時間にわたって前記ＣＣＡ結果情報を示す報告を送信すること、
をさらに含む、Ｃ１に記載の方法。
［Ｃ１１］
競合ベース無線周波数スペクトルを利用する前記キャリアは無認可スペクトル中にある、Ｃ１に記載の方法。
［Ｃ１２］
前記ＵＥによって、前記少なくとも１つのキャリアのために構成された２つ以上のチャネル状態フィードバックプロセスがあると決定することをさらに含み、チャネル測定のための前記基準信号を前記決定することは、前記２つ以上のチャネル状態フィードバックプロセスの各々について別々に実施される、
Ｃ１に記載の方法。
［Ｃ１３］
前記ＵＥは、前記基準信号が存在しないと決定し、前記方法は、
前記ＵＥによって前記測定報告を省略すること、または
前記測定報告を送信することと、ここにおいて、前記測定報告が、前の測定報告に少なくとも部分的に基づく、
のうちの１つをさらに含む、Ｃ１に記載の方法。
［Ｃ１４］
前記ＵＥによって、存在信号を受信することをさらに含み、前記存在信号は、前記基準信号が前記サブフレーム中に存在するかどうかを示す、
Ｃ１に記載の方法。
［Ｃ１５］
前記ＵＥによって、前記サブフレームが空のサブフレームであると決定することと、  前記基準信号が存在すると前記決定することに応答して、前記ＵＥによって、前記サブフレーム全体にわたって干渉測定を実施することと、
をさらに含む、Ｃ１に記載の方法。
［Ｃ１６］
送信フレーム中の第１のサブフレームについて第１の干渉測定を実施することと、
前記送信フレーム中の第２のサブフレームについて第２の干渉測定を実施することと、  前記第１の干渉測定に関連する第１の測定報告を送信することと、
前記第２の干渉測定に関連する第２の測定報告を送信することと、ここにおいて、前記第２の測定報告は前記第２の干渉測定と前記第１の干渉測定との間の差分を提供する、  をさらに含む、Ｃ１に記載の方法。
［Ｃ１７］
前記ＵＥによって前記測定報告を生成することをさらに含み、前記測定報告は、
前記サブフレームの持続時間にわたって前記ＵＥによって観測される平均化された干渉、または
前記サブフレームの１つまたは複数のシンボルに関連するシンボル依存干渉
のうちの１つに基づく干渉のフィードバックを含む、Ｃ１に記載の方法。
［Ｃ１８］
干渉の前記フィードバックはシンボル依存干渉に基づき、前記生成することは、
前記サブフレームの第１のスロットの各シンボルにわたって前記ＵＥによって観測される第１のシンボル干渉を平均化することと、
前記サブフレームの第２のスロットの各シンボルにわたって前記ＵＥによって観測される第２のシンボル干渉を平均化することと、ここにおいて、前記第１のシンボル干渉と前記第２のシンボル干渉とのうちの１つまたは複数は前記測定報告中に含まれる、
をさらに含む、Ｃ１７に記載の方法。
［Ｃ１９］
前記サブフレームがアップリンクサブフレームであると決定することと、
前記前記サブフレームが前記アップリンクサブフレームであると決定することに応答して、前記検出することと、前記決定することと、前記送信することとを省略することと、  をさらに含む、Ｃ１に記載の方法。
［Ｃ２０］
前記ＣＣＡがクリアされないとき、前記ＵＥによって前記サブフレームにおける干渉を測定することと、
前記測定報告を送信することと、ここにおいて、前記測定報告は、前記サブフレームにおいて前記測定された干渉に少なくとも部分的に基づく、
をさらに含む、Ｃ１に記載の方法。
［Ｃ２１］
前記基準信号は、非ゼロ電力チャネル状態情報基準信号（ＣＳＩ−ＲＳ）またはゼロ電力ＣＳＩ−ＲＳのうちの少なくとも１つである、Ｃ１に記載の方法。
［Ｃ２２］
前記非ゼロＣＳＩ−ＲＳは前記ＣＳＩフィードバックのチャネル測定についてであり、前記ゼロＣＳＩ−ＲＳは前記ＣＳＩフィードバックの干渉測定についてである、Ｃ２１に記載の方法。
［Ｃ２３］
対応するＣＣＡはクリアされる場合、非ゼロ電力基準信号はサブフレーム中に存在すると決定される、Ｃ１に記載の方法。
［Ｃ２４］
対応するＣＣＡがクリアされるか否かにかかわらず、ゼロ電力基準信号はサブフレーム中に存在すると決定される、Ｃ１に記載の方法。
［Ｃ２５］
ユーザ機器(ＵＥ)によって、競合ベース無線周波数スペクトルを利用する少なくとも１つのキャリアを識別するための手段と、
前記少なくとも１つのキャリアについてのクリアチャネルアセスメント（ＣＣＡ）結果情報を示す送信信号を検出するための手段と、
前記検出された送信信号に基づいてチャネル状態情報測定のための基準信号がサブフレーム中に存在するかどうかを決定するための手段と、
前記ＵＥによって、測定報告を送信するための手段と、ここにおいて、前記測定報告は、前記基準信号が存在すると前記決定することに少なくとも部分的に基づく、
を備える、ワイヤレス通信のために構成された装置。
［Ｃ２６］
プログラムコードを記録した非一時的コンピュータ可読媒体であって、前記プログラムコードは、
ユーザ機器(ＵＥ)によって、競合ベース無線周波数スペクトルを利用する少なくとも１つのキャリアを識別することをコンピュータに行わせるためのプログラムコードと、
前記少なくとも１つのキャリアについてのクリアチャネルアセスメント（ＣＣＡ）結果情報を示す送信信号を検出することを前記コンピュータに行わせるためのプログラムコードと、
前記検出された送信信号に基づいて、チャネル状態情報測定のための基準信号がサブフレーム中に存在するかどうかを決定することを前記コンピュータに行わせるためのプログラムコードと、
前記ＵＥによって、測定報告を送信することを前記コンピュータに行わせるためのプログラムコードと、ここにおいて、前記測定報告は、前記基準信号が存在すると前記決定することに少なくとも部分的に基づく、
を含む、非一時的コンピュータ可読媒体。
［Ｃ２７］
ワイヤレス通信のために構成された装置であって、前記装置は、
少なくとも１つのプロセッサと、
前記少なくとも１つのプロセッサに結合されたメモリと、
を備え、前記少なくとも１つのプロセッサは、
ユーザ機器(ＵＥ)によって、競合ベース無線周波数スペクトルを利用する少なくとも１つのキャリアを識別することと、
前記少なくとも１つのキャリアについてのクリアチャネルアセスメント（ＣＣＡ）結果情報を示す送信信号を検出することと、
前記検出された送信信号に基づいて、チャネル状態情報測定のための基準信号がサブフレーム中に存在するかどうかを決定することと、
前記ＵＥによって、測定報告を送信することと、ここにおいて、前記測定報告は、前記基準信号が存在すると前記決定することに少なくとも部分的に基づく、
を行うように構成された、装置。
［Ｃ２８］
ＣＣＡ結果情報を示す前記送信信号は、前記決定することが実施される前記サブフレームを含む、複数のサブフレームから備える送信フレームについて検出される、Ｃ２７に記載の装置。
［Ｃ２９］
前記ＵＥによって、複数の送信フレームにわたって前記基準信号の存在を決定することと、
前記基準信号がその中に存在すると決定される、前記複数の送信フレームのうちの送信フレームの第１のセットについて、前記基準信号が不在であると決定されるフレームの第２のセットについてとは別個に、前記測定報告の一部として、干渉状態を処理することと、
を行うための、前記少なくとも１つのプロセッサの構成をさらに含む、Ｃ２７に記載の装置。
［Ｃ３０］
送信フレーム中の第１のサブフレームについて第１の干渉測定を実施することと、
前記送信フレーム中の第２のサブフレームについて第２の干渉測定を実施することと、  前記第１の干渉測定に基づく第１の測定と、前記第２の干渉測定に基づく第２の測定とを備える測定報告を送信することと、
を行うための、前記少なくとも１つのプロセッサの構成をさらに含む、Ｃ２７に記載の装置。
【図１】
2019198097.tif 000003
【図２Ａ】
2019198097.tif 000004
【図２Ｂ】
2019198097.tif 000005
【図３】
2019198097.tif 000006
【図４】
2019198097.tif 000007
【図５Ａ】
2019198097.tif 000008
【図５Ｂ】
2019198097.tif 000009
【図６Ａ】
2019198097.tif 000010
【図６Ｂ】
2019198097.tif 000011
【図６Ｃ】
2019198097.tif 000012
【図７Ａ】
2019198097.tif 000013
【図７Ｂ】
2019198097.tif 000014
【図８】
2019198097.tif 000015
【図９】
2019198097.tif 000016
【図１０】
2019198097.tif 000017
【図１１】
2019198097.tif 000018
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
ユーザ機器(ＵＥ)によって、競合ベースアクセス無線周波数スペクトルを利用する少なくとも１つのキャリアを識別することと、
前記少なくとも１つのキャリアについてのクリアチャネルアセスメント（ＣＣＡ）結果情報を示す送信信号を検出することと、ここにおいて、ＣＣＡ結果情報を示す前記送信信号は、１つまたは複数の基地局によって前記少なくとも１つのキャリアに対して実行された成功したリッスンビフォアトーク（ＬＢＴ）に応答して、前記１つまたは複数の基地局によって送信された、１つまたは複数のチャネル使用基準信号を含む、
前記検出された送信信号に基づいて、チャネル状態情報測定のための基準信号がサブフレーム中に存在するかどうかを決定することと、
前記ＵＥによって、測定報告を送信することと、ここにおいて、前記測定報告は、前記基準信号が存在すると前記決定することに少なくとも部分的に基づく、
を備える、ワイヤレス通信の方法。
【請求項２】
ＣＣＡ結果情報を示す前記送信信号は、前記決定することが実施される前記サブフレームを含む、複数のサブフレームから備える送信フレームについて検出される、請求項１に記載の方法。
【請求項３】
前記１つまたは複数のチャネル使用基準信号は、チャネル使用ビーコン信号（ＣＵＢＳ）またはチャネル状態情報基準信号（ＣＳＩ−ＲＳ）を含む、請求項１に記載の方法。
【請求項４】
前記ＵＥによって、複数の送信フレームにわたって前記基準信号の存在を決定することと、
前記基準信号が存在すると決定される、前記複数の送信フレームのうちの送信フレームの第１のセットについて、前記基準信号が不在であると決定されるフレームの第２のセットについてとは別個に、前記測定報告の一部として、干渉状態を処理することと、
をさらに含む、請求項１に記載の方法。
【請求項５】
送信フレーム中の第１のサブフレームについて第１の干渉測定を実施することと、
前記送信フレーム中の第２のサブフレームについて第２の干渉測定を実施することと、
前記第１の干渉測定に基づく第１の測定と、前記第２の干渉測定に基づく第２の測定とを備える測定報告を送信することと、
をさらに含む、請求項１に記載の方法。
【請求項６】
前記第１のサブフレームは通常であり、前記第２のサブフレームは特別サブフレームであり、ここにおいて、前記第１の測定は前記測定報告において前記第２の測定と平均化されない、請求項５に記載の方法。
【請求項７】
前記第１のサブフレームは第１の基準信号構成で構成され、前記第２のサブフレームは、前記第１の基準信号構成とは異なる第２の基準信号構成で構成された、請求項５に記載の方法。
【請求項８】
前記サブフレーム中の実質的にすべてのシンボル中に存在するリソース要素のセットに基づいて干渉測定を実施することをさらに含む、請求項１に記載の方法。
【請求項９】
リソース要素の前記セットは、
前記サブフレームの各周波数にわたるホッピングパターン、または
前記サブフレームの１つまたは複数の所定の周波数
のうちの１つに配置される、請求項８に記載の方法。
【請求項１０】
前記少なくとも１つのキャリアについて所定の持続時間にわたって前記ＣＣＡ結果情報を示す報告を送信すること、
をさらに含む、請求項１に記載の方法。
【請求項１１】
競合ベースアクセス無線周波数スペクトルを利用する前記キャリアは無認可スペクトル中にある、請求項１に記載の方法。
【請求項１２】
前記ＵＥによって、前記少なくとも１つのキャリアのために構成された２つ以上のチャネル状態フィードバックプロセスがあると決定することをさらに含み、チャネル測定のための前記基準信号を前記決定することは、前記２つ以上のチャネル状態フィードバックプロセスの各々について別々に実施される、
請求項１に記載の方法。
【請求項１３】
前記ＵＥは、前記基準信号が存在しないと決定し、前記方法は、
前記ＵＥによって前記測定報告を省略すること、または
前記測定報告を送信すること、ここにおいて、前記測定報告が、前の測定報告に少なくとも部分的に基づく、
のうちの１つをさらに含む、請求項１に記載の方法。
【請求項１４】
前記ＵＥによって、存在信号を受信することをさらに含み、前記存在信号は、前記基準信号が前記サブフレーム中に存在するかどうかを示す、
請求項１に記載の方法。
【請求項１５】
前記ＵＥによって、前記サブフレームが空のサブフレームであると決定することと、
前記基準信号が存在すると前記決定することに応答して、前記ＵＥによって、前記サブフレーム全体にわたって干渉測定を実施することと、
をさらに含む、請求項１に記載の方法。
【請求項１６】
送信フレーム中の第１のサブフレームについて第１の干渉測定を実施することと、
前記送信フレーム中の第２のサブフレームについて第２の干渉測定を実施することと、
前記第１の干渉測定に関連する第１の測定報告を送信することと、
前記第２の干渉測定に関連する第２の測定報告を送信することと、ここにおいて、前記第２の測定報告は前記第２の干渉測定と前記第１の干渉測定との間の差分を提供する、
をさらに含む、請求項１に記載の方法。
【請求項１７】
前記ＵＥによって前記測定報告を生成することをさらに含み、前記測定報告は、
前記サブフレームの持続時間にわたって前記ＵＥによって観測される平均化された干渉、または
前記サブフレームの１つまたは複数のシンボルに関連するシンボル依存干渉
のうちの１つに基づく干渉のフィードバックを含む、請求項１に記載の方法。
【請求項１８】
干渉の前記フィードバックはシンボル依存干渉に基づき、前記生成することは、
前記サブフレームの第１のスロットの各シンボルにわたって前記ＵＥによって観測される第１のシンボル干渉を平均化することと、
前記サブフレームの第２のスロットの各シンボルにわたって前記ＵＥによって観測される第２のシンボル干渉を平均化することと、ここにおいて、前記第１のシンボル干渉と前記第２のシンボル干渉とのうちの１つまたは複数は前記測定報告中に含まれる、
をさらに含む、請求項１７に記載の方法。
【請求項１９】
前記サブフレームがアップリンクサブフレームであると決定することと、
前記前記サブフレームが前記アップリンクサブフレームであると決定することに応答して、前記検出することと、前記決定することと、前記送信することとを省略することと、
をさらに含む、請求項１に記載の方法。
【請求項２０】
対応するＣＣＡがクリアされないとき、前記ＵＥによって前記サブフレームにおける干渉を測定することと、
前記測定報告を送信することと、ここにおいて、前記測定報告は、前記サブフレームにおいて前記測定された干渉に少なくとも部分的に基づく、
をさらに含む、請求項１に記載の方法。
【請求項２１】
前記基準信号は、非ゼロ電力チャネル状態情報基準信号（ＣＳＩ−ＲＳ）またはゼロ電力ＣＳＩ−ＲＳのうちの少なくとも１つである、請求項１に記載の方法。
【請求項２２】
前記非ゼロ電力ＣＳＩ−ＲＳは、ＣＳＩフィードバックのチャネル測定についてのものであり、前記ゼロ電力ＣＳＩ−ＲＳは、前記ＣＳＩフィードバックの干渉測定についてのものである、請求項２１に記載の方法。
【請求項２３】
対応するＣＣＡがクリアされる場合、非ゼロ電力基準信号がサブフレーム中に存在すると決定される、請求項１に記載の方法。
【請求項２４】
対応するＣＣＡがクリアされるか否かにかかわらず、ゼロ電力基準信号がサブフレーム中に存在すると決定される、請求項１に記載の方法。
【請求項２５】
ユーザ機器(ＵＥ)によって、競合ベースアクセス無線周波数スペクトルを利用する少なくとも１つのキャリアを識別するための手段と、
前記少なくとも１つのキャリアについてのクリアチャネルアセスメント（ＣＣＡ）結果情報を示す送信信号を検出するための手段と、ここにおいて、ＣＣＡ結果情報を示す前記送信信号は、１つまたは複数の基地局によって前記少なくとも１つのキャリアに対して実行された成功したリッスンビフォアトーク（ＬＢＴ）に応答して、前記１つまたは複数の基地局によって送信された、１つまたは複数のチャネル使用基準信号を含む、
前記検出された送信信号に基づいて、チャネル状態情報測定のための基準信号がサブフレーム中に存在するかどうかを決定するための手段と、
前記ＵＥによって、測定報告を送信するための手段と、ここにおいて、前記測定報告は、前記基準信号が存在すると前記決定することに少なくとも部分的に基づく、
を備える、ワイヤレス通信のために構成された装置。
【請求項２６】
プログラムコードを記録した非一時的コンピュータ可読媒体であって、前記プログラムコードは、
ユーザ機器(ＵＥ)によって、競合ベースアクセス無線周波数スペクトルを利用する少なくとも１つのキャリアを識別することをコンピュータに行わせるためのプログラムコードと、
前記少なくとも１つのキャリアについてのクリアチャネルアセスメント（ＣＣＡ）結果情報を示す送信信号を検出することを前記コンピュータに行わせるためのプログラムコードと、ここにおいて、ＣＣＡ結果情報を示す前記送信信号は、１つまたは複数の基地局によって前記少なくとも１つのキャリアに対して実行された成功したリッスンビフォアトーク（ＬＢＴ）に応答して、前記１つまたは複数の基地局によって送信された、１つまたは複数のチャネル使用基準信号を含む、
前記検出された送信信号に基づいて、チャネル状態情報測定のための基準信号がサブフレーム中に存在するかどうかを決定することを前記コンピュータに行わせるためのプログラムコードと、
前記ＵＥによって、測定報告を送信することを前記コンピュータに行わせるためのプログラムコードと、ここにおいて、前記測定報告は、前記基準信号が存在すると前記決定することに少なくとも部分的に基づく、
を含む、非一時的コンピュータ可読媒体。
【請求項２７】
ワイヤレス通信のために構成された装置であって、前記装置は、
少なくとも１つのプロセッサと、
前記少なくとも１つのプロセッサに結合されたメモリと、
を備え、前記少なくとも１つのプロセッサは、
ユーザ機器(ＵＥ)によって、競合ベースアクセス無線周波数スペクトルを利用する少なくとも１つのキャリアを識別することと、
前記少なくとも１つのキャリアについてのクリアチャネルアセスメント（ＣＣＡ）結果情報を示す送信信号を検出することと、ここにおいて、ＣＣＡ結果情報を示す前記送信信号は、１つまたは複数の基地局によって前記少なくとも１つのキャリアに対して実行された成功したリッスンビフォアトーク（ＬＢＴ）に応答して、前記１つまたは複数の基地局によって送信された、１つまたは複数のチャネル使用基準信号を含む、
前記検出された送信信号に基づいて、チャネル状態情報測定のための基準信号がサブフレーム中に存在するかどうかを決定することと、
前記ＵＥによって、測定報告を送信することと、ここにおいて、前記測定報告は、前記基準信号が存在すると前記決定することに少なくとも部分的に基づく、
を行うように構成された、装置。
【請求項２８】
ＣＣＡ結果情報を示す前記送信信号は、前記決定することが実施される前記サブフレームを含む、複数のサブフレームから備える送信フレームについて検出される、請求項２７に記載の装置。
【請求項２９】
前記ＵＥによって、複数の送信フレームにわたって前記基準信号の存在を決定することと、
前記基準信号が存在すると決定される、前記複数の送信フレームのうちの送信フレームの第１のセットについて、前記基準信号が不在であると決定されるフレームの第２のセットについてとは別個に、前記測定報告の一部として、干渉状態を処理することと、
を行うための、前記少なくとも１つのプロセッサの構成をさらに含む、請求項２７に記載の装置。
【請求項３０】
送信フレーム中の第１のサブフレームについて第１の干渉測定を実施することと、
前記送信フレーム中の第２のサブフレームについて第２の干渉測定を実施することと、
前記第１の干渉測定に基づく第１の測定と、前記第２の干渉測定に基づく第２の測定とを備える測定報告を送信することと、
を行うための、前記少なくとも１つのプロセッサの構成をさらに含む、請求項２７に記載の装置。
【外国語明細書】
2019198097000001.pdf